(57)【特許請求の範囲】
【請求項１】
チャネル状態情報基準信号（ＣＳＩ−ＲＳ）を送信する方法であって、
前記ＣＳＩ−ＲＳ送信用の最大Ｎ個（Ｎは１以上の整数）のアンテナポート用に前記ＣＳＩ−ＲＳシーケンスを生成することと、
前記生成したＣＳＩ−ＲＳのシーケンスを、前記ＣＳＩ−ＲＳ送信用のリソースエレメント（ＲＥ）にマッピングすることと、
前記マッピングしたＣＳＩ−ＲＳシーケンスを含む直交周波数分割多重送信（ＯＦＤＭ）信号を生成し、前記生成したＯＦＤＭ信号をユーザ装置に送信することと、
を含む方法であって、
前記生成したＣＳＩ−ＲＳシーケンスを前記ＲＥにマッピングすることは、
前記ＣＳＩ−ＲＳシーケンスが、前記ＣＳＩ−ＲＳが送信されるサブフレーム内の２つのＯＦＤＭシンボルに対してアンテナポート毎に１２番目毎のサブキャリアに対応するＲＥにマッピングされることと、
各々がＭ番目毎（Ｍ≦Ｎ、Ｍは奇数）のアンテナポートと（Ｍ＋１）番目毎のアンテナポートとの両方を含むか、あるいは前記（Ｍ＋１）番目毎のアンテナポートが存在しない場合は、前記Ｍ番目毎のアンテナポートのみを含み且つ前記ＣＳＩ−ＲＳ送信用のアンテナポートセットとして用いられる[Ｎ／２]のアンテナポートセットについて、各前記アンテナポートセット内のアンテナポートの前記ＣＳＩ−ＲＳが、同じ時間−周波数リソースを有するＲＥに割り当てられて、直交コードによって互いに区別されることと、
リソースブロック内の互いに隣接する２アンテナポートセットに割り当てられた前記ＣＳＩ−ＲＳが、周波数軸に沿って３ＲＥ分の間隔を互いにあけていることと、
を含む、方法。
【請求項２】
前記生成したＣＳＩ−ＲＳのシーケンスを前記リソースエレメント（ＲＥ）にマッピングすることは、
Ｎ＝８のとき、前記ＣＳＩ−ＲＳ送信用の８アンテナポートについて、前記ＣＳＩ−ＲＳシーケンスが１シンボル単位で、４サブキャリアに対応するＲＥにマッピングされ、前記ＣＳＩ−ＲＳシーケンスが、１サブフレームおよび１２サブキャリアの時間−周波数リ
ソース領域で２つのＯＦＤＭシンボルにマッピングされることと、
前記Ｍ番目のアンテナポートおよび（Ｍ＋２）番目のアンテナポートに割り当てられた前記ＣＳＩ−ＲＳが、前記周波数軸に沿って互いに３ＲＥの間隔をあけていることと、
をさらに含む、請求項１に記載の方法。
【請求項３】
前記ＣＳＩ−ＲＳシーケンスが前記ＣＳＩ−ＲＳが送信される前記サブフレーム内でマッピングされた前記２つのＯＦＤＭシンボルが、互いに隣接するＯＦＤＭシンボルである、請求項１に記載の方法。
【請求項４】
前記ＣＳＩ−ＲＳが送信される前記サブフレームが、各セルに応じた特定の期間を有しており、前記特定の期間内で各セルに応じたサブフレームオフセット値で表される、請求項１に記載の方法。
【請求項５】
前記生成したＣＳＩ−ＲＳシーケンスを前記ＲＥにマッピングすることは、
アンテナポートの前記ＣＳＩ−ＲＳシーケンスが、前記周波数軸に沿って各セル毎にシフトしたＲＥにマッピングされることをさらに含む、請求項１に記載の方法。
【請求項６】
チャネル状態情報基準信号（ＣＳＩ−ＲＳ）を送信する方法であって、
前記ＣＳＩ−ＲＳ送信用の最大８のアンテナポート用に前記ＣＳＩ−ＲＳを生成することと、
前記生成したＣＳＩ−ＲＳのシーケンスを、前記ＣＳＩ−ＲＳの送信のために割り当てられたリソースエレメント（ＲＥ）にマッピングすることと、
前記マッピングしたＣＳＩ−ＲＳシーケンスを含む直交周波数分割多重送信（ＯＦＤＭ）信号を生成し、前記生成したＯＦＤＭ信号をユーザ装置に送信することと、
を含む方法であって、
前記生成したＣＳＩ−ＲＳシーケンスを前記ＲＥにマッピングすることは、
前記ＣＳＩ−ＲＳシーケンスが、前記ＣＳＩ−ＲＳが送信されるサブフレーム内の２つのＯＦＤＭシンボルに対してアンテナポート毎に１２番目毎のサブキャリアに対応するＲＥにマッピングされることと、
各々が前記ＣＳＩ−ＲＳ送信用のＭ番目毎（Ｍ≦８、Ｍは奇数）のアンテナポートと（Ｍ＋１）番目毎のアンテナポートとを含むアンテナポートセットについて、各前記アンテナポートセット内の前記アンテナポートの前記ＣＳＩ−ＲＳが、同じ時間−周波数リソースを有するＲＥに割り当てられて、直交コードによって互いに区別されることと、
リソースブロック内の互いに隣接する２アンテナポートセットに割り当てられた前記ＣＳＩ−ＲＳが、周波数軸に沿って３ＲＥ分の間隔を互いにあけていることと、
を含む、方法。
【請求項７】
チャネル状態情報基準信号（ＣＳＩ−ＲＳ）を受信する方法であって、
信号を受信することと、
リソースエレメント（ＲＥ）デマッピングによりリソースエレメントに割り当てられた最大Ｎ個のアンテナポートの各々の前記ＣＳＩ−ＲＳを、前記受信した信号から抽出することと、
該抽出したＣＳＩ−ＲＳからチャネル状態情報を得ることと、
を含む方法であって、
前記ＣＳＩ−ＲＳを抽出することが、
前記ＣＳＩ−ＲＳ送信用の最大Ｎ個のアンテナポート（Ｎは１以上の整数）について、前記ＣＳＩ−ＲＳのシーケンスが、前記ＣＳＩ−ＲＳが送信されるサブフレーム内の２つの直交周波数分割多重送信（ＯＦＤＭ）シンボルに対してアンテナポート毎に１２番目毎のサブキャリアに対応するＲＥにマッピングされることと、
各々がＭ番目毎（Ｍ≦Ｎ、Ｍは奇数）のアンテナポートと（Ｍ＋１）番目毎のアンテナ
ポートとの両方を含むか、あるいは前記（Ｍ＋１）番目毎のアンテナポートが存在しない場合は、前記Ｍ番目毎のアンテナポートのみを含み且つ前記ＣＳＩ−ＲＳ送信用のアンテナポートセットとして用いられる[Ｎ／２]のアンテナポートセットについて、各前記アンテナポートセット内のアンテナポートの前記ＣＳＩ−ＲＳが、同じ時間−周波数リソースを有するＲＥに割り当てられて、直交コードによって互いに区別されることと、
リソースブロック内の互いに隣接する２アンテナポートセットに割り当てられた前記ＣＳＩ−ＲＳが、周波数軸に沿って３ＲＥ分の間隔を互いにあけていることと、
を含む、方法。
【請求項８】
前記ＣＳＩ−ＲＳを抽出することは、
Ｎ＝８のとき、前記ＣＳＩ−ＲＳ送信用の８アンテナポートのすべてについて、前記ＣＳＩ−ＲＳシーケンスが１シンボル単位で、４サブキャリアに対応するＲＥにマッピングされ、前記ＣＳＩ−ＲＳシーケンスが、時間−周波数リソース領域で２つのＯＦＤＭシンボルにマッピングされることと、
前記Ｍ番目のアンテナポートおよび（Ｍ＋２）番目のアンテナポートに割り当てられた前記ＣＳＩ−ＲＳが、互いに３ＲＥの間隔をあけていることと、
をさらに含む、請求項７に記載の方法。
【請求項９】
前記ＣＳＩ−ＲＳシーケンスが、前記ＣＳＩ−ＲＳが送信される前記サブフレーム内でマッピングされた前記２つのＯＦＤＭシンボルが、互いに隣接するＯＦＤＭシンボルである、請求項７に記載の方法。
【請求項１０】
前記ＣＳＩ−ＲＳが送信される前記サブフレームが、各セルに応じた特定の期間を有しており、前記特定の期間内で各セルに応じたサブフレームオフセット値で表される、請求項７に記載の方法。
【請求項１１】
前記ＣＳＩ−ＲＳを抽出することは、
アンテナポート用の前記ＣＳＩ−ＲＳシーケンスを、前記周波数軸に沿って各セル毎にシフトしたＲＥにデマッピングすることをさらに含む、請求項７に記載の方法。
【請求項１２】
チャネル状態情報基準信号（ＣＳＩ−ＲＳ）を送信する装置であって、
前記ＣＳＩ−ＲＳ送信用の最大Ｎ個（Ｎは１以上の整数）のアンテナポートの各々用に前記ＣＳＩ−ＲＳを生成するＣＳＩ−ＲＳ生成器と、
前記生成したＣＳＩ−ＲＳのシーケンスを、前記ＣＳＩ−ＲＳ送信用のリソースエレメント（ＲＥ）にマッピングするＣＳＩ−ＲＳリソースアロケータと、
前記マッピングしたＣＳＩ−ＲＳシーケンスを含む直交周波数分割多重送信（ＯＦＤＭ）信号を生成し、前記生成したＯＦＤＭ信号をユーザ装置に送信する信号生成器と、
を含み、
前記ＣＳＩ−ＲＳリソースアロケータは、
前記ＣＳＩ−ＲＳリソースアロケータが、前記ＣＳＩ−ＲＳシーケンスを、前記ＣＳＩ−ＲＳが送信されるサブフレーム内の２つのＯＦＤＭシンボルに対してアンテナポート毎に１２番目毎のサブキャリアに対応するＲＥにマッピングすることと、
各々がＭ番目毎（Ｍ≦Ｎ、Ｍは奇数）のアンテナポートと（Ｍ＋１）番目毎のアンテナポートとの両方を含むか、あるいは前記（Ｍ＋１）番目毎のアンテナポートが存在しない場合は、前記Ｍ番目毎のアンテナポートのみを含み且つ前記ＣＳＩ−ＲＳの送信用のアンテナポートセットとして用いられる[Ｎ／２]のアンテナポートセットについて、前記各アンテナポートセット内のアンテナポートの前記ＣＳＩ−ＲＳが、同じ時間−周波数リソースを有するＲＥに割り当てられて、直交コードによって互いに区別されることと、
リソースブロック内の互いに隣接する２アンテナポートセットに割り当てられた前記ＣＳＩ−ＲＳが、周波数軸に沿って３ＲＥ分の間隔を互いにあけていることと、
を含む、装置。
【請求項１３】
チャネル状態情報基準信号（ＣＳＩ−ＲＳ）を受信する装置であって、
信号を受信する受信ユニットと、
リソースエレメント（ＲＥ）デマッピングによりリソースエレメントに割り当てられた最大Ｎ個のアンテナポートの各々のＣＳＩ−ＲＳを、前記受信した信号から抽出するＣＳＩ−ＲＳ抽出ユニットと、
該抽出したＣＳＩ−ＲＳからチャネル状態情報を得るチャネル状態測定ユニットと、
を含み、
前記ＣＳＩ−ＲＳ抽出ユニットは、
前記ＣＳＩ−ＲＳ送信用の最大Ｎ個のアンテナポート（Ｎは１以上の整数）について、前記ＣＳＩ−ＲＳのシーケンスが、前記ＣＳＩ−ＲＳが送信されるサブフレーム内の２つの直交周波数分割多元接続（ＯＦＤＭ）シンボルに対してアンテナポート毎に１２番目毎のサブキャリアに対応するＲＥにマッピングされることと、
各々がＭ番目毎（Ｍ≦Ｎ、Ｍは奇数）のアンテナポートと（Ｍ＋１）番目毎のアンテナポートとの両方を含むか、あるいは前記（Ｍ＋１）番目毎のアンテナポートが存在しない場合は、前記Ｍ番目毎のアンテナポートのみを含み且つ前記ＣＳＩ−ＲＳ送信用のアンテナポートセットとして用いられる[Ｎ／２]のアンテナポートセットについて、各前記アンテナポートセット内のアンテナポートの前記ＣＳＩ−ＲＳが、同じ時間−周波数リソースを有するＲＥに割り当てられて、直交コードによって互いに区別されることと、
リソースブロック内の互いに隣接する２アンテナポートセットに割り当てられた前記ＣＳＩ−ＲＳが、周波数軸に沿って３ＲＥ分の間隔を互いにあけていることと、
を含む、装置。
【発明の詳細な説明】
【技術分野】
【０００１】
本発明の例示的実施形態は無線通信システムに関し、特に、無線通信システムにおいてチャネル状態情報基準信号（ＣＳＩ−ＲＳ）をセル間で割り当てる方法および装置に関する。
【背景技術】
【０００２】
通信システムの発展に伴い、企業および個人を含む消費者は様々なサービスを支援する無線通信端末を必要としている。
【０００３】
現行の移動体通信システム、例えば３ＧＰＰ（３ｒｄ  Ｇｅｎｅｒａｔｉｏｎ  Ｐａｒｔｎｅｒｓｈｉｐ  Ｐｒｏｊｅｃｔ）、ＬＴＥ（Ｌｏｎｇ  Ｔｅｒｍ  Ｅｖｏｌｕｔｉｏｎ）およびＬＴＥ−Ａ（ＬＴＥ  Ａｄｖａｎｃｅｄ）は、高速大容量通信システム技術の発展をもたらしている。このようなシステムは、音声サービスを提供する能力を超えて画像および無線データを含む様々なデータの送受信を可能にし、有線通信ネットワークで送信されているデータのように大容量のデータを送信することができる。さらに、現行の移動体通信システムは、適切なエラー検出スキームを必要とする。このようなスキームは、情報の喪失を減らし、システムの送信効率を上げ、それによってシステム性能を向上させることができる。
【０００４】
さらに、現行の多種多様な通信システムにおいて、ダウンリンクまたはアップリンクを介して通信環境などについての情報を対応する装置に提供するために、様々な基準信号が提案されており、現在も提案されつつある。
【０００５】
例えばＬＴＥシステムでは、基準信号であるセル固有の基準信号（ＣＲＳ）が各サブフレームで送信される。
【０００６】
このとき、ＬＴＥシステムのダウンリンクで支援可能なアンテナポートの数は最大は４４であるため、ＣＲＳは時間／周波数に応じて最大４台のアンテナに割り当てられ送信される。
【０００７】
一方、現在開発中のＬＴＥ−Ａなどの次世代通信技術は、最大８台のアンテナを支援することができる。そのため、現在の４台のアンテナ用に規定されている現行のＣＲＳでは、ダウンリンク送信の際にチャネル情報を検出するに不十分である。このため、「チャネル状態情報基準信号（ＣＳＩ−ＲＳ）」と呼ばれる基準信号を新たに規定することにより、最大８台のアンテナのチャネル状態情報を得る技術が検討されている。
【発明の概要】
【発明が解決しようとする課題】
【０００８】
換言すると、各送信ポートおよび各受信ポートで最大８台のＭｕｌｔｉｐｌｅ  Ｉｎｐｕｔ  Ｍｕｌｔｉｐｌｅ  Ｏｕｔｐｕｔ（ＭＩＭＯ）アンテナを用いる通信システムが検討されており、ＣＳＩ−ＲＳの送信または受信用のアンテナポートまたはアンテナ層に応じてＣＳＩ−ＲＳを区別して送信するスキームが検討されている。しかし今のところ、ＣＳＩ−ＲＳに関する基本的規定およびオーバーヘッド問題に関する規定が設けられているにすぎず、ＣＳＩ−ＲＳの割り当ておよび送信に関する規定はまだ設けられていない。この点について、次世代無線通信システムはＣＳＩ−ＲＳの割り当ておよび送信用の特定のスキームを必要としている。
【課題を解決するための手段】
【０００９】
本発明の例示的実施形態は、各アンテナ／基地局（セル）のＣＳＩ−ＲＳパターンを規定し、ＣＳＩ−ＲＳをリソース領域に割り当て、ＣＳＩ−ＲＳを送信するスキームを提供する。
【００１０】
本発明の例示的実施形態は、無線通信システムにおいて、チャネル状態情報基準信号（ＣＳＩ−ＲＳ）を、アンテナポート毎に時間−周波数リソース領域に割り当てる装置および方法を提供する。
【００１１】
本発明の例示的実施形態は、ＣＳＩ−ＲＳを時間−周波数リソース領域に割り当てて、無線通信システムにおいて各セルが直交性または擬似直交性を有することができるようにする装置および方法を提供する。
【００１２】
本発明の例示的実施形態は、各アンテナポートのＣＳＩ−ＲＳを割り当てる装置および方法であって、無線通信システムにおいて各セル（またはセル群）が周波数シフトを有することができるようにする装置および方法を提供する。
【００１３】
本発明の例示的実施形態は、ＣＳＩ−ＲＳを割り当てる装置および方法であって、無線通信システムにおいて互いに隣接するセル間の干渉による性能劣化を低減することができる装置および方法を提供する。
【００１４】
本発明のさらなる特徴は、以下の説明で述べるが、一部は以下の説明を読むことで明らかになり、あるいは本発明を実施することにより理解し得る。
【００１５】
本発明の例示的実施形態は、チャネル状態情報基準信号（ＣＳＩ−ＲＳ）を送信する方法を提供する。前記方法は、最大Ｎ個（Ｎは１以上の整数）のＣＳＩ−ＲＳの送信用のアンテナポート用にＣＳＩ−ＲＳシーケンスを生成することと、生成したＣＳＩ−ＲＳのシーケンスを、ＣＳＩ−ＲＳ送信用に割り当てられたリソースエレメント（ＲＥ）にマッピングすることと、マッピングしたＣＳＩ−ＲＳシーケンスに関する情報を含む直交周波数分割多重送信（ＯＦＤＭ）信号を生成し、生成したＯＦＤＭ信号を受信装置に送信することを含む。生成したＣＳＩ−ＲＳシーケンスを前記ＲＥにマッピングする際に、ＣＳＩ−ＲＳシーケンスが、ＣＳＩ−ＲＳが送信される特定のサブフレーム内でアンテナポート毎に２つのＯＦＤＭシンボルまたはシンボル軸に対して１２番目毎のサブキャリアに対応するＲＥにマッピングされ、各々がＭ番目毎（Ｍ≦Ｎ、Ｍは奇数）のアンテナポートと（Ｍ＋１）番目毎のアンテナポートとの両方を含むか、あるいは（Ｍ＋１）番目毎のアンテナポートが存在しない場合は、Ｍ番目毎のアンテナポートのみを含み且つＣＳＩ−ＲＳ送信用のアンテナポートセットとして用いられる計[Ｎ／２]のアンテナポートセットについて、各アンテナポートセット内のアンテナポートのＣＳＩ−ＲＳが、同じ時間−周波数リソースを有するＲＥに割り当てられて、直交コードによって互いに区別され、周波数軸に沿って互いに隣接する異なるアンテナポートセットの、ＣＳＩ−ＲＳが割り当てられたＲＥが、３ＲＥ分の間隔を互いにあけている。
【００１６】
本発明の例示的実施形態は、チャネル状態情報基準信号（ＣＳＩ−ＲＳ）を送信する方法を提供する。前記方法は、最大８のＣＳＩ−ＲＳの送信用のアンテナポート用にＣＳＩ−ＲＳを生成することと、生成したＣＳＩ−ＲＳのシーケンスを、ＣＳＩ−ＲＳの送信のために割り当てられたリソースエレメント（ＲＥ）にマッピングすることと、マッピングしたＣＳＩ−ＲＳシーケンスに関する情報を含む直交周波数分割多重送信（ＯＦＤＭ）信号を生成し、生成したＯＦＤＭ信号を受信装置に送信することとを含む。生成したＣＳＩ−ＲＳシーケンスを前記ＲＥにマッピングする際に、前記ＣＳＩ−ＲＳシーケンスが、前記ＣＳＩ−ＲＳが送信される特定のサブフレーム内でアンテナポート毎に２つのＯＦＤＭシンボルまたはシンボル軸に対して１２番目毎のサブキャリアに対応するＲＥにマッピングされ、各々がＭ番目毎（Ｍ＝１、３、５、７）のアンテナポートと（Ｍ＋１）番目毎のアンテナポートとの両方を含むか、あるいは（Ｍ＋１）番目毎のアンテナポートが存在しない場合は、Ｍ番目毎のアンテナポートのみを含み且つＣＳＩ−ＲＳ送信用のアンテナポートセットとして用いられる計４のアンテナポートセットについて、各アンテナポートセット内のアンテナポートのＣＳＩ−ＲＳが、同じ時間−周波数リソースを有するＲＥに割り当てられて、直交コードによって互いに区別され、周波数軸に沿って互いに隣接する異なるアンテナポートセットの、ＣＳＩ−ＲＳが割り当てられたＲＥが、３ＲＥ分の間隔を互いにあけている。
【００１７】
本発明の例示的実施形態は、ＣＳＩ−ＲＳを受信する方法を提供する。前記方法は、送信された信号を受信することと、受信した信号のリソースエレメント（ＲＥ）デマッピングにより特定のリソースエレメントに割り当てられた複数のアンテナポートの各々のＣＳＩ−ＲＳ情報を抽出することと、該抽出したＣＳＩ−ＲＳ情報からチャネル状態情報を得ることとを含む。送信された信号において、最大Ｎ個の（Ｎは１以上の整数）ＣＳＩ−ＲＳの送信用アンテナポートについて、ＣＳＩ−ＲＳが送信される特定のサブフレーム内でアンテナポート毎に２つの直交周波数分割多重送信（ＯＦＤＭ）シンボルまたはシンボル軸に対して１２番目毎のサブキャリアに対応するＲＥに、前記ＣＳＩ−ＲＳのシーケンスがマッピングされ、各々がＭ番目毎（Ｍ≦Ｎ、Ｍは奇数）のアンテナポートと（Ｍ＋１）番目毎のアンテナポートとの両方を含むか、あるいは（Ｍ＋１）番目毎のアンテナポートが存在しない場合は、Ｍ番目毎のアンテナポートのみを含み且つＣＳＩ−ＲＳ送信用のアンテナポートセットとして用いられる計[Ｎ／２]のアンテナポートセットについて、各アンテナポートセット内のアンテナポートのＣＳＩ−ＲＳが、同じ時間−周波数リソースを有するＲＥに割り当てられて、直交コードによって互いに区別され、周波数軸に沿って互いに隣接する異なるアンテナポートセットの、ＣＳＩ−ＲＳが割り当てられたＲＥが、３ＲＥ分の間隔を互いにあけている。
【００１８】
本発明の例示的実施形態は、ＣＳＩ−ＲＳを送信する方法を提供する。前記方法は、最大８アンテナポートの各々用にＣＳＩ−ＲＳを生成することと、アンテナポートのＣＳＩ−ＲＳを、１サブフレーム内の時間−周波数リソース領域で１サブシンボル単位で４リソースエレメント（ＲＥ）またはサブキャリアに割り当てることであって、ＣＳＩ−ＲＳが割り当てられた互いに隣接するＲＥまたはサブキャリアが互いに３ＲＥまたはサブキャリアの間隔をあけるように割り当てることと、時間−周波数リソース領域に割り当てたＣＳＩ−ＲＳを受信装置に送信することとを含む。
【００１９】
本発明の例示的実施形態は、ＣＳＩ−ＲＳを受信する方法を提供する。前記方法は、複数のアンテナポートの各々を介して信号を受信することと、特定のリソースエレメント（ＲＥ）に割り当てられた複数のアンテナポートの各々のＣＳＩ−ＲＳを、受信した信号から抽出することと、アンテナポート毎にＣＳＩ−ＲＳをデマッピングすることと、デマッピングされたＣＳＩ−ＲＳシーケンスを用いて、各アンテナポートのチャネル状態情報を得ることとを含む。受信した信号は、計８のアンテナポートのＣＳＩ−ＲＳを、１サブフレーム内の時間−周波数領域で２サブシンボルまたはシンボル軸に割り当てることにより生成された信号である。上記割り当ては、ＣＳＩ−ＲＳが割り当てられた互いに隣接するＲＥまたはサブキャリアが互いに３ＲＥまたはサブキャリアの間隔をあけるように行う。第１のアンテナポートのＣＳＩ−ＲＳおよび第２のアンテナポートのＣＳＩ−ＲＳは、直交コードによって互いに区別されながら２ＲＥに繰り返し割り当てられる。
【００２０】
本発明の例示的実施形態は、チャネル状態情報基準信号（ＣＳＩ−ＲＳ）を送信する装置を提供する。前記装置は、最大Ｎ個（Ｎは１以上の整数）のＣＳＩ−ＲＳの送信用のアンテナポートの各々用にＣＳＩ−ＲＳシーケンスを生成するＣＳＩ−ＲＳ生成器と、生成した前記ＣＳＩ−ＲＳのシーケンスを、ＣＳＩ−ＲＳ送信用に割り当てられたリソースエレメント（ＲＥ）にマッピングするＣＳＩ−ＲＳリソースアロケータと、マッピングしたＣＳＩ−ＲＳシーケンスに関する情報を含む直交周波数分割多重送信（ＯＦＤＭ）信号を生成し、生成したＯＦＤＭ信号を受信装置に送信するＯＦＤＭ信号生成器とを含む。ＣＳＩ−ＲＳリソースアロケータは、ＣＳＩ−ＲＳシーケンスを、ＣＳＩ−ＲＳが送信される特定のサブフレーム内でアンテナポート毎に２つのＯＦＤＭシンボルまたはシンボル軸に対して１２番目毎のサブキャリアに対応するＲＥにマッピングする。各々がＭ番目毎（Ｍ≦Ｎ、Ｍは奇数）のアンテナポートと（Ｍ＋１）番目毎のアンテナポートとの両方を含むか、あるいは（Ｍ＋１）番目毎のアンテナポートが存在しない場合は、Ｍ番目毎のアンテナポートのみを含み且つＣＳＩ−ＲＳ送信用のアンテナポートセットとして用いられる計[Ｎ／２]のアンテナポートセットについて、各アンテナポートセット内のアンテナポートのＣＳＩ−ＲＳが、同じ時間−周波数リソースを有するＲＥに割り当てられて、直交コードによって互いに区別され、周波数軸に沿って互いに隣接する異なるアンテナポートセットの、ＣＳＩ−ＲＳが割り当てられたＲＥが、３ＲＥ分の間隔を互いにあけている。
【００２１】
本発明の例示的実施形態は、ＣＳＩ−ＲＳを受信する装置を提供する。前記装置は、送信された信号を受信する受信ユニットと、受信した信号のリソースエレメント（ＲＥ）デマッピングにより特定のリソースエレメントに割り当てられた複数のアンテナポートの各々のＣＳＩ−ＲＳ情報を抽出するＣＳＩ−ＲＳ抽出ユニットと、該抽出したＣＳＩ−ＲＳ情報からチャネル状態情報を得るチャネル状態測定ユニットとを含む。送信された信号において、最大Ｎ個の（Ｎは１以上の整数）ＣＳＩ−ＲＳの送信用アンテナポートについて、ＣＳＩ−ＲＳが送信される特定のサブフレーム内でアンテナポート毎に２つのＯＦＤＭシンボルまたはシンボル軸に対して１２番目毎のサブキャリアに対応するＲＥに前記ＣＳＩ−ＲＳのシーケンスがマッピングされ、各々がＭ番目毎（Ｍ≦Ｎ、Ｍは奇数）のアンテナポートと（Ｍ＋１）番目毎のアンテナポートとの両方を含むか、あるいは（Ｍ＋１）番目毎のアンテナポートが存在しない場合は、Ｍ番目毎のアンテナポートのみを含み且つＣＳＩ−ＲＳ送信用のアンテナポートセットとして用いられる計[Ｎ／２]のアンテナポートセットについて、各アンテナポートセット内のアンテナポートのＣＳＩ−ＲＳが、同じ時間−周波数リソースを有するＲＥに割り当てられて、直交コードによって互いに区別され、周波数軸に沿って互いに隣接する異なるアンテナポートセットの、ＣＳＩ−ＲＳが割り当てられたＲＥが、３ＲＥ分の間隔を互いにあけている。
【発明の効果】
【００２２】
本発明の無線通信システムにおいてチャネル状態情報基準信号を割り当てる方法および装置によると、ＣＳＩ−ＲＳは、これに続くＣＳＩ−ＲＳ送信オーバーヘッドの範囲のセル（またはセル群）に応じて完全な直交性（ＣｏＭＰの場合）または擬似直交性（非ＣｏＭＰの場合）を有するように時間−周波数ドメインに割り当てられる。その結果、互いに隣接するセル間の干渉による性能劣化は低減することができる。
【図面の簡単な説明】
【００２３】
【図１】図１は、本発明の例示的実施形態による無線通信システムを示す。
【図２】図２ａから図２ｃは、本発明の例示的実施形態による送信データのサブフレーム構造を示す。
【図３】図３は、例示的実施形態によってＣＲＳを時間−周波数リソースブロックにマッピングする例を示す。
【図４】図４は、例示的実施形態によるＣＳＩ−ＲＳのマッピングの代表的な例を示す図である。
【図５】図５は、ＦＤＭスキームによって、各アンテナポートにＣＳＩ−ＲＳを割り当てる基本的スキームの例示的実施形態を示す図である。
【図６】図６は、（ＦＤＭ＋ＴＤＭ）スキームによって、各アンテナポートにＣＳＩ−ＲＳを割り当てる基本的スキームの例示的実施形態を示す図である。
【図７】図７は、（ＦＤＭ＋ＣＤＭ）スキームによって、各アンテナポートにＣＳＩ−ＲＳを割り当てる基本的スキームの例示的実施形態を示す図である。
【図８】図８は、本発明の例示的実施形態によるＣＳＩ−ＲＳ割り当て装置であって、ＣＳＩ−ＲＳを生成し、生成したＣＳＩ−ＲＳをリソースエレメント（ＲＥ）に割り当てるＣＳＩ−ＲＳ割り当て装置の構成を示すブロック図である。
【図９】図９は、例示的実施形態による無線通信システムのダウンリンク物理チャネルの信号生成構造を示すブロック図である。
【図１０】図１０は、本発明の例示的実施形態によるＣＳＩ−ＲＳ割り当てスキームを示す図である。
【図１１】図１１は、本発明の例示的実施形態によるＣＳＩ−ＲＳ割り当てスキームを示す図である。
【図１２】図１２は、本発明の例示的実施形態によるＣＳＩ−ＲＳ割り当てスキームを示す図である。
【図１３】図１３は、本発明の例示的実施形態によるＣＳＩ−ＲＳ割り当てスキームを示す図である。
【図１４】図１４は、本発明の例示的実施形態によるＣＳＩ−ＲＳ割り当てスキームを示す図である。
【図１５】図１５は、本発明の例示的実施形態によるＣＳＩ−ＲＳ割り当てスキームを示す図である。
【図１６】図１６は、本発明の例示的実施形態によるＣＳＩ−ＲＳ割り当てスキームを示す図である。
【図１７】図１７は、本発明の例示的実施形態によるＣＳＩ−ＲＳ割り当てスキームを示す図である。
【図１８】図１８は、本発明の例示的実施形態による、ＣＳＩ−ＲＳを受信する受信器の構成を示すブロック図である。
【図１９】図１９は、本発明の例示的実施形態による、ＣＳＩ−ＲＳ送信方法を示すフローチャートである。
【発明を実施するための形態】
【００２４】
上記の概略の説明および以下の詳細な説明は共に例示的なものであり、本発明を説明するために提供されたものであり、請求の範囲に記載の本発明をさらに説明することを意図している。他の特徴および局面は、以下の説明、図面および請求の範囲より明らかとなる。
【００２５】
本発明のさらなる理解のために提供する添付の図面は、本明細書に組み込まれ、その一部をなしているが、本発明の実施形態を示しており、本明細書の記載と共に本発明の原理を説明する。
【００２６】
以下、例示的実施形態を示す添付の図面を参照しながら例示的実施形態をより詳細に述べる。しかし本開示内容は多くの様々な形態で実施可能であり、以下の例示的実施形態に限られない。以下の例示的実施形態は、本開示内容を詳細に述べるために提供されるものであり、これを読めば当業者は本開示内容の範囲を理解する。当業者であれば、本明細書に記載するシステム、装置および／または方法の様々な変更、改変および均等物が理解できる。図面および詳細な説明全体を通して、同一の要件、特徴および構成は同一の参照符号で示す。図面では、一部の要件の寸法および寸法の比率は、明確さおよび簡潔のために誇張する場合がある。
【００２７】
図１は、本発明の一例示的実施形態による無線通信システムを示す。無線通信システムは、音声、パケットデータなどの様々な通信サービスを提供するために広く用いられている。図１に示すように、無線通信システムは、ＵＥ（ユーザ装置）１０とＢＳ（基地局）２０とを含む。図１に示すように、無線通信システムには複数のＵＥ１０が含まれてもよい。
【００２８】
本明細書において、ＵＥ１０は無線通信用ユーザ端末、ＷＣＤＭＡ、ＬＴＥ、ＨＳＰＡ（Ｈｉｇｈ  Ｓｐｅｅｄ  Ｐａｃｋｅｔ  Ａｃｃｅｓｓ）用などのＵＥ、ＭＳ（移動局）、ＵＴ（ユーザ端末）、ＳＳ（加入者局）、ＧＳＭ(登録商標)（Ｇｌｏｂａｌ  Ｓｙｓｔｅｍ  ｆｏｒ  Ｍｏｂｉｌｅ  Ｃｏｍｍｕｎｉｃａｔｉｏｎ）用無線装置などを含み得る。
【００２９】
ＢＳ２０はセルであり、概してＵＥ１０と通信する固定局を意味し得、ノードＢ、ｅＮＢ（ｅｖｏｌｖｅｄノードＢ）、ＢＴＳ（Ｂａｓｅ  Ｔｒａｎｓｃｅｉｖｅｒ  Ｓｙｓｔｅｍ）、ＡＰ（アクセスポイント）、中継ノードなどであり得る。すなわち本明細書では、ＢＳ２０またはセルは、ＣＤＭＡのＢＳＣ（基地局コントローラ）、ＷＣＤＭＡのノードＢなどによって制御される領域を示す包括的意味を有していると解釈するべきである。ＢＳ２０またはセルは、メガセル、マクロセル、ミクロセル、ピコセル、フェムトセルなどを含む様々なカバー領域の１つに対応し得る。
【００３０】
しかし、ＵＥ１０およびＢＳ２０は、特定の表現または文言に限定されることはなく、本明細書で述べる本発明の局面を実施するに用いられる２つの送受信要件を包括的に示す。
【００３１】
本発明の局面は、様々な複数のアクセススキームを提供する。これらのスキームは、ＣＤＭＡ（符号分割多元接続）、ＴＤＭＡ（時分割多元接続）、ＦＤＭＡ（周波数分割多元接続）、ＯＦＤＭＡ（直交周波数分割多元接続）、ＯＦＤＭ−ＦＤＭＡ、ＯＦＤＭ−ＴＤＭＡ、およびＯＦＤＭ−ＣＤＭＡなどであり、これらは無線通信システムに適用可能である。しかし本発明の局面はこれらに限られない。
【００３２】
アップリンク送信およびダウンリンク送信のために、本発明の局面は、異なる時間を用いて送信するＴＤＤ（時分割複信）スキーム、または異なる周波数を用いて送信するＦＤＤ（周波数分割複信）スキームを提供し得る。
【００３３】
本発明の例示的実施形態は、ＬＴＥ（Ｌｏｎｇ  Ｔｅｒｍ  Ｅｖｏｌｕｔｉｏｎ）およびＬＴＥ−Ａ（ＬＴＥ  Ａｄｖａｎｃｅｄ）、ＧＳＭ(登録商標)、ＷＣＤＭＡおよびＨＳＰＡを含み得る非同期無線通信分野でのリソース割り当て、およびＣＤＭＡ、ＣＤＭＡ−２０００およびＵＭＢを含み得る同期無線通信分野でのリソース割り当てに適用し得る。本発明の局面は、特定の無線通信分野に限られることはなく、そのように解釈すべきでない。本発明の局面は、本発明の局面が適用可能なあらゆる技術分野を含むと解釈すべきである。
【００３４】
本発明の局面が適用される無線通信システムは、アップリンクおよび／またはダウンリンクハイブリッド自動再送要求（ＨＡＲＱ）を支援可能であり、リンクアダプテーション用にチャネル品質インジケータ（ＣＱＩ）を用いることができる。さらに、ダウンリンク送信およびアップリンク送信用に様々な複数のアクセススキームを用いることができる。例えば、ダウンリンク用に直交周波数分割多元接続（ＯＦＤＭＡ）スキームを用い、アップリンク用にシングルキャリア周波数分割多元接続（ＳＣ−ＦＤＭＡ）スキームを用いてもよい。
【００３５】
ＵＥとネットワークとの間のラジオインターフェースプロトコル層は、通信システムで広く知られている開放型システム相互接続（ＯＳＩ）モデルの下位３層に基づいて、第１の層（Ｌ１）、第２の層（Ｌ２）および第３の層（Ｌ３）に分類することができる。第１の層に属する物理層は物理チャネルを用いた情報伝送サービスを提供する。
【００３６】
一方、本発明の例示的実施形態による無線通信システムでは、１ラジオフレームまたは無線フレームが１０サブフレームを含み、１サブフレームは２スロットを含み得る。
【００３７】
データ送信の基本単位はサブフレームであり、ダウンリンクまたはアップリンクスケジューリングはサブフレーム単位で行われる。１スロットは、時間軸ドメイン（時間ドメイン）の複数のＯＦＤＭシンボルおよび周波数軸ドメイン（周波数ドメイン）の複数のサブキャリアを含み得る。
【００３８】
例えば、１サブフレームは２タイムスロットを含む。さらに、時間ドメインで通常サイクリックプレフィックス（ＣＰ）を用いた場合、各タイムスロットは７シンボル（拡張ＣＰを用いた場合は、６または３シンボル）を含み得る。周波数ドメインでは、各タイムスロットは、１８０ｋＨｚの帯域幅に対応するサブキャリア（１サブキャリアが１５ｋＨｚの帯域幅を有するため、１８０ｋＨｚの帯域幅は計１２のサブキャリアに対応する）を含み得る。時間軸に沿った１スロットと周波数軸に沿った１８０ｋＨｚの帯域幅とによって規定される時間−周波数領域は、リソースブロック（ＲＢ）と呼ぶことができる。
【００３９】
図２ａは、本発明の例示的実施形態による送信データのサブフレーム構造を示す。図２ａに示すように、１フレームの送信時間は、複数の送信時間間隔（ＴＴＩ）２０１に分割することができる。各送信時間間隔の長さは１．０ｍｓである。用語「ＴＴＩ」および「サブフレーム」は同じ意味であり、各フレームの長さは１０ｍｓであって１０ＴＴＩを含む。さらに１ＴＴＩは、同一長さの２タイムスロット２０２を含む。各タイムスロットの長さは０．５ｍｓである。
【００４０】
図２ｂは、本発明の例示的実施形態による１タイムスロット２０２の典型的な構造を示す。図２ｂに示すように、ＴＴＩは基本的送信単位であり、１ＴＴＩは、同一長さの２タイムスロット２０２を含む。各タイムスロットの長さは０．５ｍｓである。タイムスロットは、複数のロングブロック（ＬＢ）２０３を含み、各ＬＢ２０３は１シンボルに相当する。ＬＢ２０３はサイクリックプレフィックス（ＣＰ）２０４によって互いに分離されている。ＣＰは通常ＣＰと拡張ＣＰとを含み、これらは長さによって分類されている。１タイムスロット内の複数のＬＢは、通常ＣＰが用いられる場合、７ＬＢを含み、拡張ＣＰが用いられる場合、６または３ＬＢを含む。
【００４１】
まとめると、１ＴＴＩまたは１サブフレーム２０１は、通常ＣＰ２０４が用いられる場合、１４ＬＢシンボル２０３を含み得、拡張ＣＰ２０４が用いられる場合、１２ＬＢシンボル２０３（特別な場合は６ＬＢシンボル）を含み得る。しかし本発明の局面は上記のフレーム、サブフレームまたはタイムスロットに限られない。
【００４２】
図２ｃは、本発明の例示的実施形態による１サブフレームまたはＴＴＩ内の１リソースブロック（ＲＢ）２３０を示す。時間ドメインにおいて、各ＴＴＩまたはサブフレームは、通常ＣＰ２０４の場合は１４シンボル（軸）に分割可能であり、拡張ＣＰ２０４の場合は１２（または６）のシンボル（軸）２０３に分割可能である。各シンボル（軸）は１ＯＦＤＭシンボルを搬送することができる。
【００４３】
さらに、２０ＭＨｚの長さを有するシステム全体の帯域幅は、異なる周波数を有するサブキャリアに分割可能である。例えば上記のように、時間ドメインで１スロットを含み、周波数ドメインで１８０ｋＨｚの帯域幅に対応するサブキャリア（各サブキャリアが１５ｋＨｚの帯域幅を有する場合は、１２サブキャリア）を含む領域は、リソースブロック（ＲＢ）と呼ぶことができる。
【００４４】
例えば周波数ドメインにおいて、１ＴＴＩ内の１０ＭＨｚの帯域幅は５０ＲＢを含み得る。
【００４５】
上記のグリッド状のＲＢ構造において、グリッドセル形状の各単位スペースをリソースエレメント（ＲＥ）と呼ぶ。例えば、リソース領域が時間ドメインで１サブフレームを含み、周波数ドメインで１８０ｋＨｚの帯域幅に対応するサブキャリアを含み、通常ＣＰを用いる場合、各サブキャリアが１５ｋＨｚの帯域幅を有していると、リソース領域は計１６８のＲＥ（すなわち、１４シンボル×１２サブキャリア）を含み得る。
【００４６】
ＬＴＥ通信システムでは、基準信号がセル固有基準信号（ＣＲＳ）、Ｍｕｌｔｉｃａｓｔ／Ｂｒｏａｄｃａｓｔ  ｏｖｅｒ  Ｓｉｎｇｌｅ  Ｆｒｅｑｕｅｎｃｙ  Ｎｅｔｗｏｒｋ（ＭＢＳＦＮ）基準信号、ＵＥ固有基準信号および／または復調基準信号（ＤＭ−ＲＳ）を含む。
【００４７】
ＣＲＳは、Ｐｈｙｓｉｃａｌ  Ｄｏｗｎｌｉｎｋ  Ｓｈａｒｅｄ  Ｃｈａｎｎｅｌ（ＰＤＳＣＨ）送信を支援するセルの全ダウンリンクサブフレームに含まれ、該全ダウンリンクサブフレームによって送信される。さらに送信は、１または複数のアンテナ、例えば、アンテナ番号０〜３のうち１または複数のアンテナを介して実行し得る。
【００４８】
さらに１基準信号は、各ダウンリンクアンテナポートを介して送信され、スロット内のアンテナポートのうち１ポートを介して行うＲＳの送信に用いられるＲＥは、同じスロット内の別のアンテナポートには用いることができない。
【００４９】
図３は、例示的実施形態によって、時間−周波数リソースブロックにＣＲＳをマッピングする例を示す。図３に示す例は、４つの異なるアンテナポートに応じて、時間−周波数ＲＥにＣＲＳをマッピングしたものを含む。各アンテナポートでは、ＣＲＳが割り当てられたＲＥは、サブキャリア用に６期間を有する。
【００５０】
図３において、ＲＰはアンテナポートｐで基準信号の送信に用いられるＲＥを示す。例えば、Ｒ０は、アンテナポート０で基準信号の送信に用いられるＲＥを示す。
【００５１】
一方、次世代通信技術では、現在の僅か４台のアンテナ用に規定された現行のＣＲＳでは、ダウンリンク送信の際にチャネル情報を検出するに不十分である。このため、ダウンリンクの最大８台のアンテナを支援してチャネル状態情報を得るために、「チャネル状態情報基準信号（ＣＳＩ−ＲＳ）」と呼ばれる基準信号が新たに規定されている。
【００５２】
ＣＳＩ−ＲＳについての現行の基本規定によると、ＣＳＩ−ＲＳは、１ラジオフレーム内のアンテナポート毎に２ＲＥにマッピングされる。換言すると、ＣＳＩ−ＲＳは、周波数軸に沿った１ＲＢに対応する１２サブキャリアと、時間軸に沿った１０サブフレームを含む１０ｍｓの時間に対応する１ラジオフレームとを含む領域でアンテナポート毎に２ＲＥにマッピングされる。すなわち、計８のアンテナポートに対して最大１６のＲＥが割り当てられ、１以上のサブフレームによって送信される。このとき、１６ＲＥすべてが１０サブフレームのうち１サブフレームに割り当てられて該１サブフレームによって送信されてもよいし（この場合、ＣＳＩ−ＲＳは１０ｍｓ毎に送信される）、１０サブフレームのうち２以上のサブフレームに割り当てられて該２以上のサブフレームによって送信されてもよい。
【００５３】
例えば、ＣＳＩ−ＲＳは、各々が最大８のＲＥに対応する２グループ（セット）に分割されてもよく、その場合、１０サブフレームのうち２サブフレームによって送信されてもよい。このとき、ＣＳＩ−ＲＳは５ｍｓまたは１０ｍｓ毎に送信される。
【００５４】
一方、送信ポートおよび受信ポートの両方で最大６４（すなわち８×８）のＭｕｌｔｉｐｌｅ  Ｉｎｐｕｔ  Ｍｕｌｔｉｐｌｅ  Ｏｕｔｐｕｔ（ＭＩＭＯ）アンテナを用いる通信システムが検討されている。検討中の通信システムでは、アンテナポートまたはアンテナ層に応じて異なるＣＳＩ−ＲＳを送信すべきであるため、送信器は、計８のアンテナポートのＣＳＩ−ＲＳを区別して、前記ＣＳＩ−ＲＳを時間−周波数ドメインに割り当てることになる。特に、ＣＳＩ−ＲＳは、マルチセル環境でセルを互いに区別可能な様式で割り当てられ得る。
【００５５】
本発明の局面によると、アンテナ層はデータ層であり得、これは基地局または移動体通信端末から複数のアンテナポートに論理的に同時に送信することができる。しかしアンテナ層は、同じデータを有していてもよいし、異なるデータを有していてもよい。そのため、アンテナ層の数はアンテナポートの数と同じでもよいし、少なくてもよい。また、各時間−周波数リソース領域を表すためにアンテナポート番号が用いられる。そのため、同じ目的のために用いられるアンテナポートのうちの異なるアンテナポートは、空間的に区別された時間−周波数リソース領域に対応する異なるアンテナを示す。
【００５６】
例えば、最大４台のアンテナを用いるＣＲＳに対するアンテナポート番号は０〜３を含む。さらに、それぞれが最大１台のアンテナを用いるＭＢＳＦＮ−ＲＳ、ＬＴＥ  Ｒｅ１−８ＵＥ固有ＲＳ（ＤＭ−ＲＳ）およびＰＲＳ（Ｐｏｓｉｔｉｏｎｉｎｇ  Ｒｅｆｅｒｅｎｃｅ  Ｓｉｇｎａｌ）の場合、アンテナポート番号は４、５および６を含む。さらに、それぞれが最大８台のアンテナを用いるＬＴＥ  Ｒｅ１−１０  ＤＭ−ＲＳの場合、アンテナポート番号は７〜１４を含む。これもまた最大８台のアンテナを用いるＣＳＩ−ＲＳの場合、アンテナポート番号として１４に続く番号を用いてもよい。すなわち、アンテナポート番号として１５〜２２を用いてもよく、ＣＳＩ−ＲＳ送信用の第１のアンテナポートとしてアンテナポート番号１５を用いてもよい。このとき、各特定の基準信号内で、異なるアンテナポート番号は、空間的に区別された時間リソース領域を有するアンテナを示す。
【００５７】
以下の記載はアンテナポートについてのものであるが、アンテナ層にも適用可能である。
【００５８】
図４は、例示的実施形態によってＣＳＩ−ＲＳをマッピングする代表的例を示す図である。図４に示すように、単一のサブフレームに通常サブフレームの通常ＣＰ（サイクリックプレフィックス）が用いられる場合、計１４のシンボルのうち、ＣＲＳ（セル固有基準信号）、制御領域およびＬＴＥ  Ｒｅ１−９／１０  ＤＭ−ＲＳ（復調基準信号）の位置が考慮される。通常ＣＰは、１０番目または１１番目のシンボルに割り当てることができ、その後、通常ＣＰがＣＲＳ、制御領域およびＬＴＥ  Ｒｅ１−９／１０  ＤＭ−ＲＳと重複するのを阻止しながら通常ＣＰを送信することができる。しかし本発明の局面は、この構成に限られない。参考までに、ＬＴＥ  Ｒｅｌ−８のＵＥ固有ＲＳ（またはＤＭ−ＲＳ）領域は図４には示していない。
【００５９】
このとき、単一のフレーム内でＣＳＩ−ＲＳが１６ＲＥに割り当てられた場合、２シンボル（またはシンボル軸）の各々が８ＲＥを含むようにＲＥを送信してもよい。８ＲＥに対応するＣＳＩ−ＲＳが単一のサブフレームに割り当てられた場合、８ＲＥがすべて単一のシンボル（またはシンボル軸）に割り当てられるようにＲＥを送信してもよい。２シンボル（またはシンボル軸）の各々が４ＲＥを含むようにＲＥを送信してもよい。
【００６０】
図５から図７はそれぞれ、ＦＤＭスキーム、（ＦＤＭ＋ＴＤＭ）スキームおよび（ＦＭＤ＋ＣＤＭ）スキームによってＣＳＩ−ＲＳを各アンテナポートに割り当てる基本的スキームの例示的実施形態を示す図である。
【００６１】
図５から図７において、参照符号で示されるＲＥは、ＣＳＩ−ＲＳに割り当てられたＲＥを示し、参照符号はＣＳＩ−ＲＳに割り当てられたアンテナポート番号を示す。この場合、アンテナポート番号は、ＣＳＩ―ＲＳを送信するアンテナポートの番号を示す。アンテナポート番号は、最大８台のＣＳＩ−ＲＳ送信アンテナを考慮して、例えば「１」から「８」まで順に番号づけをすることにより獲得し得るが、必ずしも連続的に番号づけする必要はない。またアンテナポート番号は、すべてのＲＳを考慮した絶対的アンテナポート番号を示す参照符号を示すわけではない。
【００６２】
図５に示すＦＤＭスキームでは、８アンテナポートが周波数リソースによってのみ区別される。単一のリソースブロック（ＲＢ）は、周波数軸に沿った１２サブキャリアを含む。そのため図５のＦＤＭスキームに示すように、単一のシンボル軸内で８サブキャリアが区別される場合、８サブキャリアを用いて８アンテナポートすべてを区別することができる。本明細書では、ＣＳＩ−ＲＳの割り当てオーバーヘッドは、サブキャリアの領域内でアンテナポート当たり２ＲＥ（すなわち８アンテナポートに対して１６ＲＥ）であり、その数は、上記のように、１０ｍｓ（通常ＣＰを有する通常サブフレームに対して１４０シンボル）×１２である。そのため、２サブフレームの各々に８ＲＥを割り当てることができる。
【００６３】
図６に示す（ＦＤＭ＋ＴＤＭ）スキームでは、８アンテナポートが周波数リソースおよび時間リソースによって区別される。（ＦＤＭ＋ＴＤＭ）スキームでは、４アンテナポートが周波数軸によって区別され、４アンテナポートが時間軸に沿った異なる４シンボルによって区別される。その結果、計８のアンテナポートを区別することができる。
【００６４】
図７に示す（ＦＤＭ＋ＣＤＭ）スキームでは、８アンテナポートが周波数リソースおよびコードリソースによって区別される。（ＦＤＭ＋ＣＤＭ）スキームでは、４アンテナポートが周波数軸によって区別され、４アンテナポートが異なるコードによって区別される。その結果、計８のアンテナポートを区別することができる。例えば、Ｎｏ．１アンテナとＮｏ．２アンテナは同じＲＥに割り当てられ、Ｎｏ．１アンテナとＮｏ．２アンテナが割り当てられた上記同じＲＥがその後時間−周波数ドメインで送信される。しかし、Ｎｏ．１アンテナとＮｏ．２アンテナとは、直交性を有する直交カバーコード（ＯＣＣ）などの異なるコードで区別される。
【００６５】
図５から図７はそれぞれ、ＦＤＭスキーム、（ＦＤＭ＋ＴＤＭ）スキームおよび（ＦＭＤ＋ＣＤＭ）スキームによってＣＳＩ−ＲＳを各アンテナポートに割り当てる基本的スキームを示す。しかし本発明の局面はこれらに限られず、上記のスキームと同等のＣＳＩ−ＲＳ割り当てオーバーヘッドおよびスキームによって様々な方法を提供し得る。
【００６６】
さらに、図４および図５から図７に示すＣＳＩ−ＲＳパターン割り当てスキームは、各アンテナポートに対して完全な直交性を有しており、互いに区別可能である。しかし、上記のＣＳＩ−ＲＳパターン割り当てスキームが用いられ、基地局（ＢＳ）またはセルがそれぞれ、規定されたＣＳＩ−ＲＳパターンにマッピングされたＣＳＩ−ＲＳシーケンスによってのみ区別される場合、互いに隣接するセルの多くが同じ時間−周波数リソースを介して同時にＣＳＩ−ＲＳを送信し得る。その結果、互いに隣接するセル間の干渉によって性能が劣化するという問題が起こり得る。
【００６７】
特に、協調マルチポイント送受信システム（ＣｏＭＰ）などの通信システムでは、該当するユーザは、現在主な送受信を行っているサービングセルに加えて隣接するセルに対しても基準信号を送受信する必要がある。このような通信システムでは、隣接セルのＣＳＩ−ＲＳの受信力はサービングセルのそれよりも弱い。そのため、サービングセルと隣接セルとが同じ時間−周波数リソースを介して同時にＣＳＩ−ＲＳ信号を送信すると、該当ユーザが隣接セルと区別してＣＳＩ−ＲＳを適切に検出することは困難である。
【００６８】
従って本発明の局面は、ＣＳＩ−ＲＳが割り当てられ（またはマッピングされ）、割り当てられた（またはマッピングされた）ＣＳＩ−ＲＳがその後、各セルが時間−周波数リソースに対して直交性（ＣｏＭＰの場合）または擬似直交性（非ＣｏＭＰの場合）を有するように送信され、その結果、互いに隣接するセル間の干渉による性能劣化を低減することができるスキームを提供する。
【００６９】
図８は、本発明の例示的実施形態によるＣＳＩ−ＲＳ割り当て装置であって、ＣＳＩ−ＲＳを生成し、生成したＣＳＩ−ＲＳをリソースエレメント（ＲＥ）に割り当てるＣＳＩ−ＲＳ割り当て装置の構成を示すブロック図である。図８に示すように、例示的実施形態によるＣＳＩ−ＲＳ割り当て装置８００は、ＣＳＩ−ＲＳ生成器８１０と、ＣＳＩ−ＲＳリソースアロケータ８２０とを含む。
【００７０】
ＣＳＩ−ＲＳ生成器８１０は、システム固有情報などの外部情報を受信し、受信した外部情報に基づいてＣＳＩ−ＲＳまたはＣＳＩ−ＲＳシーケンスを生成する。このとき、システム固有情報は、ＢＳ情報（例えば、セルＩＤ）、中継ノード情報、ＵＥ情報、サブフレーム番号、スロット番号、ＯＦＤＭシンボル番号およびＣＰサイズのうちの少なくとも１つを含み得る。しかしシステム固有情報の局面は、この構成に限られない。また、ＢＳ（またはセル）情報は例えば、ＢＳアンテナ情報、ＢＳ帯域幅情報、および／またはＢＳセルＩＤ情報であり得る。
【００７１】
例えば、ＣＳＩ−ＲＳ生成器８１０は、ＢＳのアンテナまたは帯域幅情報などのシステム固有情報を用いることによりシーケンスの長さを決定し、セルＩＤ情報を受信して、すでに決定した該当セルＩＤのＣＳＩ−ＲＳを選択する。
【００７２】
ＣＳＩ−ＲＳリソースアロケータ８２０は、システム固有情報とフレームタイミング情報とを受信し、ＣＳＩ−ＲＳ生成器８１０によって生成された、アンテナポートに応じたＣＳＩ−ＲＳを時間−周波数リソース領域に割り当てる。その後、ＲＥに割り当てられたＣＳＩ−ＲＳは、ＢＳ送信フレームで多重送信される。
【００７３】
ＣＳＩ−ＲＳリソースアロケータ８２０は、ＣＳＩ−ＲＳ用のリソース割り当て方法における所定のルールに従って、ＯＦＤＭシンボル（すなわちｘ軸）およびサブキャリア位置（すなわちｙ軸）のリソースを割り当て、割り当てたリソースを特定のフレームタイミングでＢＳ送信フレームを用いて多重送信する。
【００７４】
ところで、本発明の局面によると、最大８のアンテナポートの各々のＣＳＩ−ＲＳを時間−周波数ドメインに割り当てる際、ＣＳＩ−ＲＳリソースアロケータ８２０は、アンテナポートに応じたＣＳＩ−ＲＳを、単一のサブフレームまたはリソースブロック（ＲＢ）内のシンボル（またはシンボル軸）単位で、４ＲＥまたはサブキャリアに割り当てる。このとき、ＣＳＩ−ＲＳリソースアロケータ８２０は、互いに隣接するＣＳＩ−ＲＳ割り当てＲＥまたはサブキャリア間の距離が３ＲＥまたはサブキャリアと同じぐらいに長くなるように割り当ててもよい。
【００７５】
換言すると、ＣＳＩ−ＲＳリソースアロケータはさらに以下の構成を含む。ＣＳＩ−ＲＳリソースアロケータは、ＣＳＩ−ＲＳシーケンスを、サブフレーム内の２ＯＦＤＭシンボルに関して、各アンテナポートに対して、１２番目毎の１サブキャリアに対応するＲＥにマッピングする。サブフレームは、ＣＳＩ−ＲＳが [Ｎ／２]アンテナポートセットにおいて送信される単位である。[Ｎ／２]アンテナポートセットの各々は、Ｍ番目毎（Ｍ≦Ｎ、Ｍは奇数）のアンテナポートと（Ｍ＋１）番目毎のアンテナポートとの両方を含むか、あるいは（Ｍ＋１）番目毎のアンテナポートが存在しない場合は、Ｍ番目毎のアンテナポートのみを含む。[Ｎ／２]アンテナポートセットの各々は、ＣＳＩ−ＲＳの送信用のアンテナポートセットとして用いられる。各アンテナポートセット内のアンテナポートのＣＳＩ−ＲＳは、同じ時間−周波数リソースを有するＲＥに割り当てられ、直交コードによって互いに区別される。リソースブロック内の互いに隣接２アンテナポートセットに割り当てられたＣＳＩ−ＲＳは、周波数軸の３ＲＥ分の間隔を互いにあけている。
【００７６】
以下により詳細に述べる。本発明の局面によると、第１のスキームにおいて最大８のアンテナポートの各々のＣＳＩ−ＲＳを時間−周波数度面に割り当てる際、ＣＳＩ−ＲＳリソースアロケータ８２０は、ＣＳＩ−ＲＳを単一のサブフレーム内の２シンボル（またはシンボル軸）に割り当てる。このとき、システムリソースアロケータ８２０は、計８のアンテナポートの各々のＣＳＩ−ＲＳを第１のサブフレームの単一のＲＥにひとつずつ割り当てる。この他には、ＣＳＩ−ＲＳリソースアロケータ８２０は、直交カバーコード（ＯＣＣ）を用いることにより、すでに割り当てられたアンテナポートを除くアンテナポートに応じたＣＳＩ−ＲＳを、すでに割り当てられたアンテナポートに応じたＣＳＩ−ＲＳと区別する。さらにアンテナポートに応じた上記区別したＣＳＩ−ＲＳの各々を第１のサブフレームの２つのＲＥに二重に割り当てる。第１のスキームは第１のサブフレームに適用されているが、計８のアンテナポートの各々のＣＳＩ−ＲＳが割り当てられる別の、または第２のサブフレームにも同様に適用される。第１のスキームは、図１０から図１２（８アンテナポートの各々のＣＳＩ−ＲＳを単一のＲＥにひとつずつ割り当てる）および図１６（８アンテナポートに応じた上記区別したＣＳＩ−ＲＳの各対を２つのＲＥに二重に割り当てる）を参照してさらに詳細に述べる。
【００７７】
本発明の局面によると、第２のスキームにおいて、最大８のアンテナポートの各々のＣＳＩ−ＲＳを時間−周波数ドメインに割り当てる際、ＣＳＩ−ＲＳリソースアロケータ８２０は、ＣＳＩ−ＲＳを単一のサブフレーム内の２つのシンボル（またはシンボル軸）に割り当てる。このとき、システムリソースアロケータ８２０は、計４のアンテナポートの各々のＣＳＩ−ＲＳを第１のサブフレームの２つのＲＥにひとつずつ割り当てる。しかし、ＣＳＩ−ＲＳリソースアロケータ８２０は、直交カバーコード（ＯＣＣ）を用いることにより、すでに割り当てられたアンテナポートを除くアンテナポートに応じたＣＳＩ−ＲＳを、すでに割り当てられたアンテナポートに応じたＣＳＩ−ＲＳと区別してもよい。さらにアンテナポートに応じた上記区別したＣＳＩ−ＲＳの各々を第１のサブフレームの４つのＲＥに二重に割り当ててもよい。第２のスキームは第１のサブフレームに適用されているが、第１のサブフレームに割り当てられた４つアンテナポートを除く残りの４つのアンテナポートの各々のＣＳＩ−ＲＳが割り当てられる別の、または第２のサブフレームにも同様に適用される。第２のスキームは、図１３から図１５（４つのアンテナポートの各々のＣＳＩ−ＲＳを２つのＲＥにひとつずつ割り当てる）および図１７（４つのアンテナポートに応じた上記区別したＣＳＩ−ＲＳの各対を４つのＲＥに二重に割り当てる）を参照してさらに詳細に述べる。
【００７８】
さらに、特定のアンテナポートのＣＳＩ−ＲＳは、セル（またはセル群）に応じて周波数軸方向に周波数シフトを有するように、割り当て可能である。特に、同じアンテナポートのＣＳＩ−ＲＳは、３つのセル（またはセル群）に応じて周波数軸方向に周波数シフトを有するように、１サブキャリアまたはＲＥ単位で割り当ててもよい。従って、セル（またはセル群）はそれぞれ、完全に区別されたＣＳＩ−ＲＳ割り当てパターンを有することができる。
【００７９】
さらに、上記の第１および第２のフレームの位置は、各セル（またはセル群）のラジオフレームに別々に割り当てることができる。
【００８０】
一方、図１０から図１２および図１６に示す第１のスキームでは、ＣＳＩ−ＲＳが割り当てられたアンテナポート番号は、周波数軸方向で交互になるように、同じシンボル（またはシンボル軸）上に配置してもよい。また、同じアンテナポートのＣＳＩ−ＲＳは、同じアンテナポートのＣＳＩ−ＲＳが割り当てられた第１のサブフレームおよび第２のサブフレームにそれぞれ属する２つのＲＥ間のシフトが、６つのＲＥまたはサブキャリアと同じぐらいに長くなるように割り当てることができる。しかし本発明の局面はこれに限られない。
【００８１】
例示的実施形態によるＣＳＩ−ＲＳ割り当て装置８００がＯＦＤＭおよびＭＩＭＯを用いた無線通信システムに用いられた例を以下に述べる。
【００８２】
図９は、例示的実施形態による無線通信システムにおいてダウンリンク物理チャネルの信号生成構造を示すブロック図である。
【００８３】
図９に示すように、例示的実施形態による無線通信システム９００は、リソースエレメントマッパ９１０とＣＳＩ−ＲＳ割り当て装置８００とを含む。ＣＳＩ−ＲＳ割り当て装置８００は、ＣＳＩ−ＲＳ発生器８１０とＣＳＩ−ＲＳリソースアロケータ８２０とを含み得る。
【００８４】
一方、破線で示す無線通信システム９００はさらに、基地局（ＢＳ）の基本送信装置のエレメントである、スクランブラ、変調マッパ、層マッパ、予備符号化器、ＯＦＤＭ信号発生器などを含み得る。しかし、上記の本発明の局面はこれに限られない。
【００８５】
さらに無線通信システム９００は、図１に示すＢＳ１０の通信システムであってもよい。
【００８６】
無線通信システム９００の基本動作を以下に述べる。チャネル符号化によって処理され、ダウンリンクにおいて符号語の形態で入力されるビットは、スクランブラによってスクランブルされ、その後変調マッパに入力される。変調マッパは、スクランブルされたビットを複合変調シンボルに変調する。その後、層マッパが、複合変調シンボルを単一の送信層または複数の送信層にマッピングする。その後、予備符号化器が、アンテナポートの各送信チャネルに亘って複合変調シンボルを予備符号化する。その後、リソースエレメントマッパが、各アンテナポート用の複合変調シンボルを、関連するリソースエレメントにマッピングする。
【００８７】
ＣＳＩ−ＲＳ生成器８１０は、ＣＳＩ−ＲＳを生成し、生成したＣＳＩ−ＲＳをＣＳＩ−ＲＳリソースアロケータ８２０に供給する。その後、ＣＳＩ−ＲＳリソースアロケータ８２０は、単独またはリソースエレメントマッパと接続した状態で、アンテナポートに応じたＣＳＩ−ＲＳを上記のスキームの時間−周波数ドメインに割り当て、割り当てたＣＳＩ−ＲＳを特定のタイミングでＢＳ送信フレームを用いて多重送信する。
【００８８】
このとき、ＣＳＩ−ＲＳリソースアロケータ８２０は、まず、アンテナポートに応じたＣＳＩ−ＲＳを含むＲＳと制御信号とをリソースエレメントに割り当て、予備符号化器から受信したデータを残りのリソースエレメントに割り当て得る。
【００８９】
その後、ＯＦＤＭ信号生成器は、各アンテナポート用の複合時間ドメインＯＦＤＭ信号を生成し、生成した複合時間ドメインＯＦＤＭ信号を関連するアンテナポートを介して送信する。
【００９０】
ＣＳＩ−ＲＳ割り当て装置８００とリソースエレメントマッパ９１０とを別々に説明かつ図示しているが、本発明の局面はこれに限られない。本発明の例示的実施形態によるハードウェアまたはソフトウェアの局面によると、ＣＳＩ−ＲＳ割り当て装置８００とリソースエレメントマッパ９１０とは一体化して実行してもよい。
【００９１】
本発明の局面による無線通信システムにおいて、ダウンリンク物理チャネルの信号生成構造は、図９を参照して上記した通りである。しかし本発明の局面はこれに限られない。すなわち、本発明の局面による無線通信システムにおいて、ダウンリンク物理チャネルの信号生成構造では、上記の構成要件以外の他の構成要件を省略してもよく、他の構成要件に置換したり他の構成要件に変更したりしてもよく、あるいは他の構成要件をさらに含んでもよい。
【００９２】
図１０から図１２はそれぞれ、本発明の例示的実施形態によるＣＳＩ−ＲＳ割り当て装置によって、セル（またはセル群）Ａ、ＢおよびＣに対して、（ＦＤＭ＋ＴＤＭ）スキームにおけるＣＳＩ−ＲＳを割り当てるスキームを示す図である。
【００９３】
図１０に示す例示的実施形態において、最大８のアンテナポートの各々のＣＳＩ−ＲＳを時間−周波数ドメインに割り当てる際、ＣＳＩ−ＲＳ割り当て装置は、４アンテナポートの各々のＣＳＩ−ＲＳを、第１のサブフレームまたはリソースブロックの第１のシンボル（またはシンボル軸）内の単一のＲＥまたはサブキャリアにひとつずつ割り当てることができる。そのため、異なる４のアンテナポートの各々のＣＳＩ−ＲＳは、４ＲＥのうちの１つに割り当てられる。その後、ＣＳＩ−ＲＳ割り当て装置は、第１のシンボル（またはシンボル軸）に割り当てられていない残りの４つのアンテナポートの各々のＣＳＩ−ＲＳを同じサブフレームの第２のシンボル（またはシンボル軸）内の単一のＲＥにひとつずつ割り当てることができる。
【００９４】
そのため、異なるアンテナポートに応じたＣＳＩ−ＲＳはそれぞれ、第１および第２のシンボル（またはシンボル軸）内で互いに隣接するＣＳＩ−ＲＳ割り当てＲＥに割り当てられる。ＣＳＩ−ＲＳ割り当てＲＥ間の距離は、周波数軸方向において３つのＲＥまたはサブキャリアと同じぐらいに長くてもよい。
【００９５】
本明細書では、特定のアンテナポートのＣＳＩ−ＲＳが割り当てられたＲＥを「ＣＳＩ−ＲＳ割り当てＲＥ」と呼ぶ。
【００９６】
すなわち、図１０から図１２に示す例示的実施形態において、４つのアンテナポートの各々のＣＳＩ−ＲＳは、単一のリソースブロック（ＲＢ）の単一のシンボル内で、周波数軸に沿った１２サブキャリアのうち４つのサブキャリアに対応する４つのＲＥのうちの１つにひとつずつ割り当てられる。このとき、各アンテナポートに割り当てられたＣＳＩ−ＲＳ割り当てＲＥとそれに隣接するＣＳＩ−ＲＳ割り当てＲＥとの距離は、３サブキャリアと同じぐらいに長くてもよい。
【００９７】
残りの４アンテナポートの各々のＣＳＩ−ＲＳは、上記のスキームの別のシンボルにひとつずつ割り当てられる。この場合、計８のアンテナポートの各々のＣＳＩ−ＲＳは、単一のサブフレーム内の単一のＲＥに割り当てられる。ＣＳＩ−ＲＳは、ＣＳＩ−ＲＳ割り当てオーバーヘッドを考慮して（各アンテナポートのＣＳＩ−ＲＳが単一のラジオフレーム内の２ＲＥに割り当てられるように）、上記のスキームの計１０のサブフレームのうち２サブフレームに割り当てられる。しかし、ＣＳＩ−ＲＳ割り当てオーバーヘッドが変更された場合、本発明の局面はこれに限られない。しかし、単一のサブフレームにＣＳＩ−ＲＳを割り当てるスキームは、ＣＳＩ−ＲＳ割り当てオーバーヘッドが変更された場合も同じであってもよい。
【００９８】
上記の本発明の局面によるＣＳＩ−ＲＳマッピングまたは割り当てスキームは、以下の式（１）によって規定することができる。しかし式（１）は、理解のために代表的な例を示しており、上記の基本的スキームを保持する限り別の様式で表してもよい。
【００９９】
【数１】
0005855016.tif 000002
【０１００】
但し
【数２】
0005855016.tif 000003
0005855016.tif 000004
0005855016.tif 000005
【０１０１】
ここで、ｋはＣＳＩ−ＲＳが割り当てられたＲＥのサブキャリア番号を表す。ＣＳＩ−ＲＳが割り当てられたＲＥのｌは、シンボル（またはシンボル軸）番号０〜１３を表す。
【数３】
0005855016.tif 000006
は、サブフレーム番号０〜９を表す。
【０１０２】
【数４】
0005855016.tif 000007
は、サブフレーム番号を表し、値１〜６を有するものと記載される。しかし本発明の局面はこれに限られない。
【０１０３】
【数５】
0005855016.tif 000008
は、単一のラジオフレームに含まれる１０サブフレームのうち任意の２サブフレームを表し得る。
【０１０４】
また、式（１）は、ＣＳＩ−ＲＳが割り当てられたＲＥのｌが、シンボル（またはシンボル軸）番号として９または１０を有することを規定する。しかし本発明の局面はこれに限られない。通常ＣＰが用いられる場合、計１４のシンボルまたはシンボル軸のうち、互いに隣接する、またはしない任意の２シンボル（またはシンボル軸）が用いられてもよい。拡張ＣＰが用いられる場合、シンボルまたはシンボル軸の数は１２または６であってもよい。
【０１０５】
また、図１０および式（１）に示すように、ｌ＝９および１０と規定される第１および第２のシンボル（またはシンボル軸）の各々に割り当てられた４アンテナポートは、アンテナポート番号５〜８とアンテナポート番号１〜４にグループ分けされる。しかし本発明の局面はこれに限られない。また、８アンテナポートを他のスキームでグループ分けすることも可能である。
【０１０６】
また、４アンテナポート５〜８のＣＳＩ−ＲＳ割り当てＲＥが第１のシンボル（またはシンボル軸）内に配置される場合、ＣＳＩ−ＲＳ割り当てＲＥが順に配置されるのではなく１つずつ交互に配置されるスキームを採用することができる。すなわち、アンテナポート７のＣＳＩ−ＲＳが、図１０および式（１）に示すように、（１，ｋ）＝（９，０）に位置するＲＥに割り当てられる場合、周波数軸に沿って（すなわち、３ＲＥの距離をおいて）隣接する（１，ｋ）＝（９，３）に位置するＲＥは、アンテナポート６ではなく次のアンテナポートであるアンテナポート５のＣＳＩ−ＲＳに割り当てられる。その後、アンテナポート８のＣＳＩ−ＲＳを（１，ｋ）＝（９，６）に位置するＲＥに割り当ててもよい。
【０１０７】
互いに隣接するアンテナポートのＣＳＩ−ＲＳ割り当てＲＥは、上記のスキームにおいて１つずつ交互に配置される。それにより、アンテナポート間の干渉を低減することができる。しかし本発明の局面はこれに限られない。
【０１０８】
単一のラジオフレームが、上記のようにＣＳＩ−ＲＳが割り当てられた２サブフレームを含み、これら２サブフレームを第１および第２のサブフレームとする場合、第１および第２のサブフレーム内の特定のアンテナポートのＣＳＩ−ＲＳ割り当てＲＥ間のシフトは、図１０に示すように６つのＲＥと同じぐらいに長くてもよい。
【０１０９】
すなわちアンテナポート１を例にとると、アンテナポート１のＣＳＩ−ＲＳ割り当てＲＥは、図１０に示すように第１のサブフレーム内の（１，ｋ）＝（１０，０）に位置する。他方、第２のサブフレームでは、アンテナポート１のＣＳＩ−ＲＳ割り当てＲＥは、周波数軸方向に６サブキャリアまたはＲＥと同じぐらい長い距離をあけた（１，ｋ）＝（１０，６）に割り当てられる。
【０１１０】
アンテナポート間の干渉は、上記のスキームで低減することができる。しかし本発明の局面はこれに限られない。
【０１１１】
第１および第２のサブフレームは、その位置を決定する場合は任意であってもよいが、単一のラジオフレーム内ではその間に適切な距離を有してもよい。例えば、ラジオフレームに含まれるサブフレーム番号が０〜９に規定され、第１のサブフレームがサブフレーム番号１に位置する場合、第２のサブフレームはサブフレーム番号のうちサブフレーム番号６に配置される。しかし本発明の局面はこれに限られず、第１および第２のサブフレームが隣接していてもよいし、別の位置に配置されてもよい。
【０１１２】
すなわちＣＳＩ−ＲＳは、ＣＳＩ−ＲＳ割り当てオーバーヘッドを考慮して、計１０のサブフレームのうち２サブフレームに割り当てられる。これら２サブフレームは、連続していてもよいし、特定の期間を有していてもよい。すなわち、類似の構造を有するこれら２サブフレームは、図１０に示すスキームで送信される。そのため、２サブフレームは、計１０ｍｓを２で割った５ｍｓ間隔で送信されてもよい。
【０１１３】
図１０に基づく図１１および図１２を参照して、セル（またはセル群）間にＣＳＩ−ＲＳを交互に割り当てることを述べる。
【０１１４】
図１１および図１２ならびに式（１）によると、各アンテナポートのＣＳＩ−ＲＳ割り当スキームは、図１０に示すものと類似であってもよい。各アンテナポートのＣＳＩ−ＲＳは、セル（またはセル群）に応じたオフセットまたは周波数シフトを有するスキームで割り当てることができる。
【０１１５】
換言すると、複数のリソースブロックが含まれる場合、各アンテナポートは１２番目毎のサブキャリアにＣＳＩ−ＲＳを割り当て、周波数軸全体を考慮して、ＣＳＩ−ＲＳが割り当てられた１２番目毎のサブキャリアを送信する。
【０１１６】
図１０に示すように、ＣＳＩ−ＲＳアンテナポート１は例えば、特定のサブフレームの１１番目のシンボル（シンボル番号１０を有する）内で（ｋ＝１２・ｍ）番目毎
【数６】
0005855016.tif 000009
のサブキャリアにマッピングされる。ここで、
【数７】
0005855016.tif 000010
は、ダウンリンク帯域幅をＲＢ単位で表すことによって得られる値である。また、セル群に応じた計１２の０〜１１のオフセットまたは周波数シフトは、
【数８】
0005855016.tif 000011
によって表し得る。
【０１１７】
このとき、セル（セル群）に応じて
【数９】
0005855016.tif 000012
の値が異なっていてもよい。例えば、
【数１０】
0005855016.tif 000013
は、セルＩＤである物理セルアイデンティティ（ＰＣＩ）に従って
【数１１】
0005855016.tif 000014
によって表し得る。
【０１１８】
上記スキームのＰＣＩに従って１２のオフセットまたは周波数シフトも他のアンテナポートの各々に適用される場合、アンテナポートの各々に割り当てられたＣＳＩ−ＲＳ間の距離は３サブキャリアと同じぐらいに長くてもよい。そのため、計３のセル群（セル群Ａ：
【数１２】
0005855016.tif 000015
、セル群Ｂ：
【数１３】
0005855016.tif 000016
、およびセル群Ｃ：
【数１４】
0005855016.tif 000017
）はそれぞれ、時間−周波数リソースに対して完全に区別されるＣＳＩ−ＲＳ割り当てパターンを有する。
【０１１９】
アンテナポート７を例に取ると、ＣＳＩ−ＲＳ割り当てパターンは、アンテナポート７がセル群Ａでは（１，ｋ）＝（９，０）（図１０および
【数１５】
0005855016.tif 000018
）に割り当てられるが、セル群Ｂでは（１，ｋ）＝（９，１）（図１１および
【数１６】
0005855016.tif 000019
）に割り当てられ、セル群Ｃでは（１，ｋ）＝（９，２）（図１２および
【数１７】
0005855016.tif 000020
）に割り当てられるスキームを表す。
【０１２０】
また、第１および第２のサブフレームの位置は、セル群毎に異なっていてもよい。換言すると、図１０から図１２では、セル群に応じたオフセットまたは周波数シフトは、単一のサブフレームで各アンテナポートについて、周波数軸方向におけるＣＳＩ−ＲＳ割り当ての位置に適用されてもよい。それによりＣＳＩ−ＲＳ割り当てパターンは、互いに隣接するセル間で異なるものと規定されてもよい。しかしさらに、ＣＳＩ−ＲＳが割り当てられたサブフレームを各隣接セルで異ならせてもよい。
【０１２１】
例えば、１０サブフレームのうちＣＳＩ−ＲＳが割り当てられた２番目および７番目のサブフレームが特定のセル群によって送信された場合、３番目および８番目のサブフレームは別のセル群によって送信される。このように第１および第２のサブフレームの相対位置を各セル群で異ならせることにより、互いに隣接するセル間の干渉をさらに低減し得る。
【０１２２】
また、８アンテナポートの各々のＣＳＩ−ＲＳ割り当てＲＥは第１のサブフレームに配置される。そのため、（各アンテナポートのＣＳＩ−ＲＳ割り当てＲＥの数×アンテナポートの数）は、サブフレーム単位で（１×８）と規定することができる。上記の規定を満たす、第１のサブフレームを含む計２のサブフレームがあり得る。従って（各アンテナポートのＣＳＩ−ＲＳ割り当てＲＥの数×アンテナポートの数）は、ラジオフレーム単位で（２×８）に等しい。よって、必要なＣＳＩ−ＲＳ割り当てオーバーヘッドが満たされる。
【０１２３】
ＣｏＭＰなどの協働的マルチアンテナ送受信システムでは、ユーザ装置（ＵＥ）がサービングセル以外のセルのＣＳＩ−ＲＳを受信すべきである。このような協働的マルチアンテナ送受信システムでは、ＵＥは、計３のセル群のうちＵＥとサービングセルとが属するセル群以外のセル群によってＣＳＩ−ＲＳが送信されるＲＥに対して、データを送信することなくブランクにしておくブランキングまたはデータをゼロ出力で送信するミューティングを行ってもよい。
【０１２４】
すなわち図１０では、セル群Ａは、セル群ＢおよびＣがＣＳＩ−ＲＳを送信する（ｌ，ｋ）＝（９または１０、１または２）に位置するＲＥに対して、データを送信しないか、あるいはゼロ出力でデータを送信し、３つのセル群のセル間に完全な直交性が存在するようにする。従って、互いに隣接するセル間の干渉は低減し得る。さらに、これを各セルの直交状態と呼んでもよい。
【０１２５】
しかしこの場合、この場所を現行のデータ送信を行うのではなくブランクにしておくことにより、ＣＳＩ−ＲＳ割り当てオーバーヘッドが増加する。その後、増加したＣＳＩ−ＲＳ割り当てオーバーヘッドは、データ送信レートを低下させる。
【０１２６】
ＵＥがサービングセル以外のセルのＣＳＩ−ＲＳを受信する必要のない、非ＣｏＭＰ通信システムでは、ＣＳＩ−ＲＳ割り当てオーバーヘッドが増加しないように、ＵＥはデータによって起こる干渉をある程度考慮し、計３のセル群のうちＵＥとサービングセルとが属するセル群以外のセル群によってＣＳＩ−ＲＳが送信されるＲＥに対して、データを送信してもよい。これを各セルの擬似直交状態と呼ぶことができる。
【０１２７】
しかし、３セル群のセル間に擬似直交性が存在しても、互いに隣接するセルに対応するセル群は、同じ時間−周波数リソースを介して同時にＣＳＩ−ＲＳを送信することはない。そのため、互いに隣接するセル間の干渉によって起こる性能劣化を低減することが可能である。
【０１２８】
図１３から図１５はそれぞれ、本発明の例示的実施形態による（ＦＤＭ＋ＴＤＭ）スキームでセル（またはセル群）Ａ、ＢおよびＣに対してＣＳＩ−ＲＳを割り当てるスキームを示す図である。
【０１２９】
図１３〜図１５に示す例示的実施形態において、最大８のアンテナポートの各々のＣＳＩ−ＲＳを時間−周波数ドメインに割り当てる際、２アンテナポートの各々のＣＳＩ−ＲＳは、第１のサブフレームまたはリソースブロックの第１のシンボル（またはシンボル軸）内の２ＲＥまたはサブキャリアにひとつずつ割り当てられる。第１のシンボル（またはシンボル軸）に割り当てられた２アンテナポートを除く２アンテナポートの各々のＣＳＩ−ＲＳは、同じサブフレームの第２のシンボル（またはシンボル軸）内の２ＲＥにひとつずつ割り当てられる。残りの４アンテナポートの各々のＣＳＩ−ＲＳは、上記のスキームで別の第２のサブフレームまたはＲＢに割り当てられてもよい。
【０１３０】
従って、第１および第２のシンボル（またはシンボル軸）の各々は、（各アンテナポートのＣＳＩ−ＲＳ割り当てＲＥの数×アンテナポートの数）＝（２×２）に従って、割り当てられる。ＣＳＩ−ＲＳ割り当てＲＥ間の距離は、図１０から図１２を参照して述べたように、周波数軸方向に３ＲＥまたはサブキャリアと同じぐらいに長くてもよい。
【０１３１】
換言すると、図１３から図１５に示す例示的実施形態では、２アンテナポートの各々のＣＳＩ−ＲＳは、単一のＲＢの単一のシンボル軸内で、周波数軸に沿った１２サブキャリアのうち４サブキャリアに対応する４ＲＥのうち２ＲＥにひとつずつ割り当てられる。このとき、アンテナポートに応じて割り当てられたＣＳＩ−ＲＳ間の距離は、３サブキャリアと同じぐらいに長くてもよい。
【０１３２】
割り当てられた２アンテナポートを除く２アンテナポートの各々のＣＳＩ−ＲＳは、上記のスキームで別のシンボル軸内の２ＲＥにひとつずつ割り当てられてもよい。この場合、計４のアンテナポートの各々のＣＳＩ−ＲＳは、単一のサブフレームの２ＲＥにひとつずつ割り当てられる。割り当てられた４アンテナポートを除く残りの４アンテナポートの各々のＣＳＩ−ＲＳは、上記のスキームで別のサブフレームの２ＲＥに割り当てられる。その結果、各アンテナポートのＣＳＩ−ＲＳは、計１０のサブフレームの２ＲＥに割り当てられてもよい。
【０１３３】
上記のような本発明の局面によるＣＳＩ−ＲＳマッピングまたは割り当てスキームは、以下の式（２）によって規定することができる。しかし式（２）は、理解のために代表的な例を示しており、上記の基本的スキームを保持する限り別の様式で表してもよい。
サブフレームＡ：ＣＳＩ−ＲＳアンテナポート＝１，２，３，４を介した送信
サブフレームＢ：ＣＳＩ−ＲＳアンテナポート＝５，６，７，８を介した送信
【０１３４】
【数１８】
0005855016.tif 000021
但し、
【数１９】
0005855016.tif 000022
0005855016.tif 000023
0005855016.tif 000024
【０１３５】
ここで、ｋはＣＳＩ−ＲＳが割り当てられたＲＥのサブキャリア番号を表す。ＣＳＩ−ＲＳが割り当てられたＲＥのｌは、シンボル（またはシンボル軸）番号０〜１３を表す。
【０１３６】
また、式（２）は、ＣＳＩ−ＲＳが割り当てられたＲＥのｌが、シンボル（またはシンボル軸）番号として９または１０を有することを規定する。しかし本発明の局面はこれに限られない。通常ＣＰが用いられる場合、計１４のシンボルまたはシンボル軸のうち、互いに隣接する、またはしない任意の２シンボル（またはシンボル軸）が用いられてもよい。拡張ＣＰが用いられる場合、シンボルまたはシンボル軸の数は１２または６であってもよい。
【０１３７】
また、図１３から図１５および式（２）に示すように、ｌ＝９と規定される第１のシンボル（またはシンボル軸）に割り当てられた４アンテナポートは、第１のサブフレームでアンテナポート番号３と４とにグループ分けされ、第２のサブフレームでアンテナポート番号７と８とにグループ分けされる。ｌ＝１０と規定される第２のシンボル（またはシンボル軸）に割り当てられた４アンテナポートは、第１のサブフレームでアンテナポート番号１と２とにグループ分けされ、第２のサブフレームでアンテナポート番号５と６とにグループ分けされる。しかしこれは一例にすぎず、本発明の局面はこれに限られない。また、８アンテナポートを他のスキームでグループ分けすることも可能である。
【０１３８】
また、２つのアンテナポート３および４のＣＳＩ−ＲＳ割り当てＲＥが第１のサブフレームで第１のシンボル（またはシンボル軸）内に配置される場合、ＣＳＩ−ＲＳ割り当てＲＥが互いに交互に割り当てられるスキームを採用することができる。すなわち、アンテナポート４のＣＳＩ−ＲＳが、図１３および式（２）に示すように、（１，ｋ）＝（９，０）に位置するＲＥに割り当てられる場合、アンテナポート３のＣＳＩ−ＲＳは、周波数軸に沿って（すなわち、３ＲＥの距離をおいて）隣接する（１，ｋ）＝（９，３）に位置するＲＥに割り当てられる。その後、アンテナポート４のＣＳＩ−ＲＳは（１，ｋ）＝（９，６）に位置するＲＥに割り当てられる。すなわち、アンテナポートに応じたＣＳＩ−ＲＳ割り当てＲＥ間の距離は、シンボル（またはシンボル軸）上で６ＲＥと同じぐらいに長くてもよい。
【０１３９】
互いに隣接するアンテナポートのＣＳＩ−ＲＳ割り当てＲＥは、上記のスキームにおいて１つずつ交互に配置される。それにより、アンテナポート間の干渉を低減することができる。しかし本発明の局面はこれに限られない。
【０１４０】
第１および第２のサブフレームは、その位置を決定する場合は任意であってもよいが、単一のラジオフレーム内ではその間に適切な距離を有してもよい。例えば、ラジオフレームに含まれるサブフレーム番号が０〜９に規定され、第１のサブフレームがサブフレーム番号１に位置する場合、第２のサブフレームはサブフレーム番号６に配置されてもよい。しかし本発明の局面はこれに限られず、第１および第２のサブフレームが単に隣接していてもよいし、別の位置に配置されてもよい。
【０１４１】
図１３から図１５に示す例示的実施形態によると、（各アンテナポートのＣＳＩ−ＲＳ割り当てＲＥの数×アンテナポートの数）は、第１および第２のサブフレームの各々で（１×８）と規定される。従って（各アンテナポートのＣＳＩ−ＲＳ割り当てＲＥの数×アンテナポートの数）は、ラジオフレーム毎に（２×８）に等しい。この点で、必要なＣＳＩ−ＲＳ割り当てオーバーヘッドが満たされる。
【０１４２】
ＣＳＩ−ＲＳは、ＣＳＩ−ＲＳ割り当てオーバーヘッドを考慮して、計１０のサブフレームのうち２サブフレームに割り当てられる。これら２サブフレームは、連続していてもよいし、特定の期間を有していてもよい。すなわち、異なる構造を有するこれら２サブフレームには、４アンテナポートに応じたＣＳＩ−ＲＳが割り当てられるが、これら２サブフレームは、図１３から図１５に示すスキームで送信される。そのため、連続するサブフレームとしての２サブフレームは、１０ｍｓ間隔で送信されてもよい。
【０１４３】
図１３に基づく図１４および図１５を参照して、セル（またはセル群）間にＣＳＩ−ＲＳを交互に割り当てることを述べる。
【０１４４】
図１４および図１５および式（２）によると、各アンテナポートのＣＳＩ−ＲＳ割り当てスキームは、図１３に示すものと類似であってもよい。各アンテナポートのＣＳＩ−ＲＳは、セル（またはセル群）に応じたオフセットまたは周波数シフトを有するスキームで割り当てることができる。
【０１４５】
換言すると、少なくとも１つのリソースブロックが含まれる場合、各アンテナポートは６番目毎のサブキャリアにＣＳＩ−ＲＳを割り当て、周波数軸全体を考慮して、ＣＳＩ−ＲＳが割り当てられた６番目毎のサブキャリアを送信する。図１３から図１５に示すように、ＣＳＩ−ＲＳアンテナポート１は、例えば、特定のサブフレームの１１番目のシンボル（シンボル番号ｌ＝１０を有する）内で（ｋ＝６・ｍ）番目毎
【数２０】
0005855016.tif 000025
のサブキャリア又はＲＥにマッピングされる。ここで、セル群に応じた計６の０〜５のオフセットまたは周波数シフトは、
【数２１】
0005855016.tif 000026
によって表し得る。このとき、セル（セル群）に応じて
【数２２】
0005855016.tif 000027
の異なる値が存在していてもよい。例えば、
【数２３】
0005855016.tif 000028
は、セルＩＤである物理セルアイデンティティ（ＰＣＩ）に従って
【数２４】
0005855016.tif 000029
によって表し得る。
【０１４６】
上記スキームのＰＣＩに従って６のオフセットまたは周波数シフトも他のアンテナポートの各々に適用される場合、アンテナポートの各々に割り当てられたＣＳＩ−ＲＳ間の距離は３サブキャリアほど長くてもよい。そのため、計３のセル群（図１３のセル群Ａ：
【数２５】
0005855016.tif 000030
、図１４のセル群Ｂ：
【数２６】
0005855016.tif 000031
、および図１５のセル群Ｃ：
【数２７】
0005855016.tif 000032
）はそれぞれ、時間−周波数リソースに対して完全に区別されるＣＳＩ−ＲＳ割り当てパターンを有する。
【０１４７】
アンテナポート４の例を図１３から図１５を参照して詳細に述べると、ＣＳＩ−ＲＳ割り当てパターンは、アンテナポート４がセル群Ａでは（１，ｋ）＝（９，０）（図１３および
【数２８】
0005855016.tif 000033
）に割り当てられるが、セル群Ｂでは（１，ｋ）＝（９，１）（図１４および
【数２９】
0005855016.tif 000034
）に割り当てられ、セル群Ｃでは（１，ｋ）＝（９，２）（図１５および
【数３０】
0005855016.tif 000035
）に割り当てられるスキームを表す。
【０１４８】
また、第１および第２のサブフレームの位置は、セル群毎に異なっていてもよい。
【０１４９】
換言すると、図１３から図１５では、セル群に応じたオフセットまたは周波数シフトは、単一のサブフレームで各アンテナポートについて、周波数軸方向におけるＣＳＩ−ＲＳ割り当ての位置に適用される。それによりＣＳＩ−ＲＳ割り当てパターンは、互いに隣接するセル間で異なるものと規定される。しかし、ＣＳＩ−ＲＳが割り当てられたサブフレームはさらに各隣接セルで異ならせてもよい。
【０１５０】
例えば、１０サブフレームのうちＣＳＩ−ＲＳが割り当てられた２番目および７番目のサブフレームが特定のセル群によって送信された場合、３番目および８番目のサブフレームは別のセル群によって送信される。このように第１および第２のサブフレームの相対位置を各セル群で異ならせることにより、互いに隣接するセル間の干渉をさらに低減し得る。しかし本発明の局面はこれに限られない。
【０１５１】
図１３から図１５に示す例示的実施形態では、（各アンテナポートのＣＳＩ−ＲＳ割り当てＲＥの数×アンテナポートの数）は、単一のサブフレームでシンボル単位で（２×２）と規定される。第１および第２のサブフレームの各々において、（各アンテナポートのＣＳＩ−ＲＳ割り当てＲＥの数×アンテナポートの数）は、（２×４）と規定される。従って、（各アンテナポートのＣＳＩ−ＲＳ割り当てＲＥの数×アンテナポートの数）は、ラジオフレーム単位で（２×８）に等しい。よって、必要なＣＳＩ−ＲＳ割り当てオーバーヘッドが満たされる。
【０１５２】
また、ＣｏＭＰなどの通信システムは、図１３から図１５の例示的実施形態において、図１０から図１２を参照して述べたものと同様にブランキングまたはミューティングを行うことを可能にする。
【０１５３】
すなわち、ＣｏＭＰなどの協働的マルチアンテナ送受信システムでは、ユーザ装置（ＵＥ）がサービングセル以外のセルのＣＳＩ−ＲＳを受信してもよい。このような協働的マルチアンテナ送受信システムでは、ＵＥは、計３のセル群のうちＵＥとサービングセルとが属するセル群以外のセル群によってＣＳＩ−ＲＳが送信されるＲＥに対して、データを送信することなくブランクにしておくブランキングまたはデータをゼロ出力で送信するミューティングを行ってもよい。
【０１５４】
すなわち図１３では、セル群Ａは、セル群ＢおよびＣがＣＳＩ−ＲＳを送信する（ｌ，ｋ）＝（９または１０、１または２）に位置するＲＥに対して、データを送信しないか、あるいはゼロ出力でデータを送信し、３セル群のセル間に完全な直交性が存在するようにする。従って、互いに隣接するセル間の干渉は低減する。これを各セルの直交状態と呼ぶことができる。
【０１５５】
一方、非ＣｏＭＰなどの通信システムでは、ＵＥはサービングセル以外のセルのＣＳＩ−ＲＳを受信する必要がない。このような非ＣｏＭＰなどの通信システムでは、ＣＳＩ−ＲＳ割り当てオーバーヘッドが増加しないように、ＵＥはデータによって起こる干渉をある程度考慮し、計３のセル群のうちＵＥとサービングセルとが属するセル群以外のセル群によってＣＳＩ−ＲＳが送信されるＲＥに対して、データを送信してもよい。これを各セルの擬似直交状態と呼ぶことができる。しかし、３セル群のセル間に擬似直交性が存在しても、互いに隣接するセルに対応するセル群は、同じ時間−周波数リソースを介して同時にＣＳＩ−ＲＳを送信することはない。そのため、互いに隣接するセル間の干渉によって起こる性能劣化を低減することが可能である。
【０１５６】
換言すると、例示的実施形態は、以下のＣＳＩ−ＲＳ送信方法を開示する。ＣＳＩ−ＲＳ送信方法は、Ｎ個のアンテナポート用にＣＳＩ−ＲＳＣシーケンスを生成し、生成したＣＳＩ−ＲＳシーケンスを、所定のリソースエレメント（ＲＥ）にマッピングし、マッピングしたＣＳＩ−ＲＳシーケンスを含む信号を送信することを含む。ここで、生成したＣＳＩ−ＲＳシーケンスをＲＥにマッピングすることは、Ｎ個のアンテナポートを、少なくとも１つのアンテナポートセットにグループ分けし、少なくとも１つのアンテナポートセットの各々が２アンテナポートの対を含み、１サブフレーム内の１２サブキャリアおよび連続する２シンボルのうち、セルによって決定されるオフセットを有するサブキャリアにおいて、同じアンテナポートセットの２アンテナポートが、シンボルおよびサブキャリアを含む時間−周波数リソースの互いに同一のＲＥに割り当てられ、同じアンテナポートセットの２アンテナポートは直交カバーコード（ＯＣＣ）によって互いに区別され、アンテナポートセット間の間隔は周波数ドメインの３であることを含む。生成したＣＳＩ−ＲＳシーケンスをＲＥにマッピングすることは、生成したＣＳＩ−ＲＳシーケンスが、１サブフレーム内の１２サブキャリアおよび２シンボルおよび連続する２シンボルにおいて、Ｎ個のアンテナポートに応じて決定されたＲＥであって、互いに異なるオフセットを有するサブキャリアからのＲＥに割り当てられることをさらに含む。
【０１５７】
さらに、例示的実施形態は、以下のＣＳＩ−ＲＳ受信方法を開示する。ＣＳＩ−ＲＳ受信方法は、信号を受信し、１サブフレーム内の１２サブキャリアおよび連続する２シンボルのうち、セルによって決定されるオフセットを有するサブキャリアにおいて、シンボルおよびサブキャリアを含む時間−周波数ドメインの所定のリソースエレメント（ＲＥ）のＮ個のアンテナポートのＣＳＩ−ＲＳを、信号から抽出し、該抽出したＣＳＩ−ＲＳによってチャネル状態情報を得ることを含む。ここで、ＣＳＩ−ＲＳを抽出することは、Ｎ個のアンテナポートのうちの少なくとも１つのアンテナポートを決定することと；周波数ドメインで互いに３の間隔をあけたアンテナポートセット間の間隔を決定することであって、少なくとも１つのアンテナポートの各々は、２アンテナポートの対を含み、同じアンテナポートセットの２アンテナポートは、所定のＲＥのうち互いに同一のＲＥにおいて直交カバーコード（ＯＣＣ）によって互いに区別されることとを含む。ＣＳＩ−ＲＳを抽出することは、生成したＣＳＩ−ＲＳシーケンスが、１サブフレーム内の１２サブキャリアおよび２シンボルおよび連続する２シンボルにおいて、Ｎ個のアンテナポートに応じて決定されたＲＥであって、互いに異なるオフセットを有するサブキャリアからのＲＥに割り当てられることをさらに含む。
【０１５８】
図１６は、（ＦＤＭ＋ＴＤＭ）でＣＳＩ−ＲＳ割り当てを行うスキームの例示的実施形態を示す図である。図１６に示す本発明の局面によると、最大８のアンテナポートの各々のＣＳＩ−ＲＳが時間−周波数ドメインに割り当てられると、４アンテナポートの各々のＣＳＩ−ＲＳは、第１のサブフレームまたはリソースブロック（ＲＢ）の第１のシンボル（またはシンボル軸）内の単一のＲＥまたはサブキャリアにひとつずつ割り当てられる。そのため、４ＲＥの各々は、異なる４アンテナポートのうちの１つのＣＳＩ−ＲＳに割り当てられる。その後、第１のシンボル（またはシンボル軸）に割り当てられた４アンテナポートに応じたＣＳＩ−ＲＳの各々が、同様に、同じサブフレームの第２のシンボル（またはシンボル軸）内の単一のＲＥに割り当てられる。その結果、計８のＣＳＩ−ＲＳ割り当てＲＥが第１のサブフレームまたはＲＢに配置される。さらに、残りの４アンテナポートに応じたＣＳＩ−ＲＳは、第１のサブフレームまたはＲＢにおいて、直交カバーコード（ＯＣＣ）によって、すでに割り当てられた４アンテナポートに応じたＣＳＩ−ＲＳと区別される。その後、残りの４アンテナポートに応じた、上記区別されたＣＳＩ−ＲＳの各々は、第１のサブフレームまたはＲＢの８ＣＳＩ−ＲＳ割り当てＲＥのうち２ＣＳＩ−ＲＳ割り当てＲＥに二重に割り当てられる。
【０１５９】
すなわち、４アンテナポートの各々のＣＳＩ−ＲＳは、単一のＲＥの第１のシンボル内で周波数軸に沿った１２サブキャリアのうち４サブキャリアに対応する４ＲＥのうちの１つに割り当てられる。このとき、４アンテナポートに応じて割り当てられたＣＳＩ−ＲＳ間の距離は、３サブキャリアと同じぐらいに長くてもよい。上記と同じスキームにおいて、４つの等しいアンテナポートの各々のＣＳＩ−ＲＳは、同じＲＢの第２のシンボル（またはシンボル軸）内の４ＲＥのうちの１つに割り当てられる。この場合、計４のアンテナポートの各々のＣＳＩ−ＲＳは、単一のサブフレームの２シンボルに二重に割り当てられる。残りの４アンテナポートに応じたＣＳＩ−ＲＳは、直交性を有するＯＣＣなどの異なる符号によって、同じサブフレーム内で、すでに割り当てられた４アンテナポートに応じたＣＳＩ−ＲＳと区別される。例えば、ＣＳＩ−ＲＳアンテナポート１および２は、同じサブフレームの同じＲＥにマッピングされ、ＣＳＩ−ＲＳアンテナポート１および２に応じたＣＳＩ−ＲＳが割り当てられた上記同じＲＥが送信される。ＣＳＩ−ＲＳアンテナポート１および２に応じたＣＳＩ−ＲＳが同じＲＥに割り当てられた場合、ＣＳＩ−ＲＳはＯＣＣによって区別される。上記のスキームは、アンテナポート３と４、５と６、および７と８にも同様に適用される。このスキームによると、ＣＳＩ−ＲＳは、ＣＳＩ−ＲＳ割り当てオーバーヘッドを考慮して、計１０のサブフレームのうち２サブフレームに割り当てられる。しかし、ＣＳＩ−ＲＳ割り当てオーバーヘッドが変更された場合、本発明の局面はこれに限られない。しかし、本発明の局面によると、単一のサブフレームにＣＳＩ−ＲＳを割り当てるスキームは、ＣＳＩ−ＲＳ割り当てオーバーヘッドが変更された場合も同じであってもよい。
【０１６０】
図１６を参照して、上記の割り当てスキームを以下に詳細に述べる。ＯＣＣによって区別されたアンテナポート１および２に応じたＣＳＩ−ＲＳは、第１のサブフレームにおいて（１，ｋ）＝（９および１０，０）に位置する２ＲＥに二重に割り当てられる。ＯＣＣによって区別されたアンテナポート５および６に応じたＣＳＩ−ＲＳは、周波数軸方向において位置（１，ｋ）＝（９および１０，０）から３ＲＥ離れた（１，ｋ）＝（９および１０，３）に位置する２ＲＥに二重に割り当てられる。
【０１６１】
また、ＣＳＩ−ＲＳ割り当てオーバーヘッドの要件を満たすために、ＣＳＩ−ＲＳは、第１のサブフレームに適用されたスキームにおいて、別の、または第２のサブフレームに割り当てられてもよい。
【０１６２】
このとき、同じＲＥに二重に割り当てられたＣＳＩ−ＲＳに対応するアンテナポート番号、周波数軸方向におけるアンテナポート番号の順番などが変わってもよい。しかしこれは本質的なものではなく、本発明の局面はこれに限られない。
【０１６３】
上記の本発明の局面によるＣＳＩ−ＲＳマッピングまたは割り当てスキームは、以下の式（３）によって規定することができる。しかし式（３）は、理解のために代表的な例を示しており、上記の基本的スキームを保持する限り別の様式で表してもよい。
ＣＳＩ−ＲＳアンテナポート＝１，３，５，７：ＯＣＣ[＋１，＋１]
ＣＳＩ−ＲＳアンテナポート＝２，４，６，８：ＯＣＣ[＋１，−１]
【０１６４】
【数３１】
0005855016.tif 000036
0005855016.tif 000037
0005855016.tif 000038
【０１６５】
ここで、ｋはＣＳＩ−ＲＳが割り当てられたＲＥのサブキャリア番号を表す。ＣＳＩ−ＲＳが割り当てられたＲＥのｌは、シンボル（またはシンボル軸）番号０〜１３を表す。
【０１６６】
ここで、
【数３２】
0005855016.tif 000039
は、サブフレーム番号０〜９を表す。
【０１６７】
ここで、
【数３３】
0005855016.tif 000040
は、サブフレーム番号を表し、値１または６を有するものと記載される。しかし本発明の局面はこれに限られない。
【０１６８】
【数３４】
0005855016.tif 000041
は、単一のラジオフレームに含まれる１０サブフレームのうち任意の２サブフレームを表し得る。
【０１６９】
また、式（３）は、ＣＳＩ−ＲＳが割り当てられたＲＥのｌが、シンボル（またはシンボル軸）番号として９または１０を有することを規定する。しかし本発明の局面はこれに限られない。通常ＣＰが用いられる場合、計１４のシンボルまたはシンボル軸のうち、互いに隣接する、またはしない任意の２シンボル（またはシンボル軸）が用いられてもよい。拡張ＣＰが用いられる場合、シンボルまたはシンボル軸の数は１２または６であってもよい。
【０１７０】
さらに上記のように、同じＲＥに二重に割り当てられたＣＳＩ−ＲＳに対応するアンテナポート番号、周波数軸方向におけるアンテナポート番号の順番などが変わってもよい。本発明の局面は、図１６に示す例に限られない。すなわち図１６および式（３）では、第１のサブフレームでＣＳＩ−ＲＳ割り当てＲＥに割り当てられたアンテナポートは、下位サブキャリアから順に（１、２）、（５，６）、（３，４）および（７，８）と示されている。しかし本発明の局面はこれに限られない。
【０１７１】
ここで、直交カバーコード（ＯＣＣ）は、符号が相互直交性を有する２桁ウォルシュコードシステムなどの任意のコードシステムであってもよい。すなわち、図１６では、各ＲＥ内で前方に示すアンテナポートのＣＳＩ−ＲＳは、例えば[１，１]などのＯＣＣ１によって区別され、各ＲＥ内で後方に示すアンテナポートのＣＳＩ−ＲＳは、例えば、ＯＣＣ１に対して直交する[１，−１]などのＯＣＣ２によって区別される。
【０１７２】
図１６に示すように、２ＲＥに二重に割り当てられた２アンテナポートは互いに隣接するアンテナポートであってもよい。すなわち、図１６では、（ｌ，ｋ）＝（９および１０，０）に二重に割り当てられた２アンテナポートは、互いに隣接するアンテナポート１および２である。
【０１７３】
このとき、ＯＣＣによって区別された２アンテナポートのセット（「アンテナポートセット」と呼ぶ）が２ＲＥに二重に割り当てられた場合、アンテナポートセットの順は、周波数軸方向において交互に割り当てられてもよい。しかし本発明の局面はこれに限られない。例えば、アンテナポートセット（１，２）が図１６でｋ＝０に位置する２つのＲＥに割り当てられた場合、ｋ＝０の次であるｋ＝３に位置する２つのＲＥは、隣接するアンテナポートセット（３，４）ではなく、アンテナポートセット（３，４）の次であるアンテナポートセット（５，６）に割り当てられる。その後、アンテナポートセット（３，４）は、ｋ＝６に位置する２つのＲＥに割り当てられる。
【０１７４】
互いに隣接するアンテナポートセットのＣＳＩ−ＲＳ割り当てＲＥは、上記のスキームにおいて１つずつ交互に配置されてもよい。それにより、互いに隣接するアンテナポートセット間の干渉は低減することができる。しかし本発明の局面はこれに限られない。
【０１７５】
また図１６において、第１のサブフレーム（左に示す）と第２のサブフレーム（右に示す）との間で、周波数軸方向のアンテナポートセットの順が異なってもよい。しかし本発明の局面はこれに限られない。例えば図１６に示すように、アンテナポートセット（１，２）が第１のサブフレームにおいてｋ＝０に位置する２ＲＥに割り当てられた場合、アンテナポートセット（１，２）は第２のサブフレームでは、ｋ＝０ではなくｋ＝６に位置する２ＲＥに割り当てられてもよい。
【０１７６】
上記のスキームは、アンテナポート間の干渉を低減することができる。しかし本発明の局面はこれに限られない。
【０１７７】
第１および第２のサブフレームは、その位置を決定する場合は任意であってもよいが、単一のラジオフレーム内ではその間に適切な距離を有してもよい。例えば、ラジオフレームに含まれるサブフレーム番号が０〜９に規定され、第１のサブフレームがサブフレーム番号１に位置する場合、第２のサブフレームはサブフレーム番号６に配置される。しかし本発明の局面はこれに限られず、第１および第２のサブフレームは単に隣接していてもよい。
【０１７８】
すなわちＣＳＩ−ＲＳは、ＣＳＩ−ＲＳ割り当てオーバーヘッドを考慮して、計１０のサブフレームのうち２サブフレームに割り当てられる。これら２サブフレームは、連続していてもよいし、特定の期間を有していてもよい。すなわち、類似の構造を有するこれら２サブフレームは、図１６に示すスキームで送信される。そのため、２サブフレームは、計１０ｍｓを２で割った５ｍｓ間隔で送信されてもよい。
【０１７９】
図１３に基づく図１４および図１５を参照して、セル（またはセル群）間にＣＳＩ−ＲＳを交互に割り当てることを述べる。
【０１８０】
セル（またはセル群）間で交互にＣＳＩ−ＲＳを割り当てるスキームは、図１０から図１２に示すものと同様に、図１６の例示的実施形態にも採用することができる。
【０１８１】
すなわち、式（３）によると、各アンテナポートにＣＳＩ−ＲＳを割り当てるスキームは、図１６に示すものと同様であってもよい。各アンテナポートのＣＳＩ−ＲＳは、セル（またはセル群）に応じたオフセットまたは周波数シフトを有するスキームで割り当てられてもよい。但しこのようなスキームは図１６に示していない。
【０１８２】
換言すると、少なくとも１つのリソースブロックが含まれる場合、各アンテナポートは１２番目毎のサブキャリアにＣＳＩ−ＲＳを割り当て、周波数軸全体を考慮して、ＣＳＩ−ＲＳが割り当てられた１２番目毎のサブキャリアを送信する。図１６に示すように、ＣＳＩ−ＲＳアンテナポート１は例えば、特定のサブフレームの１０番目および１１番目のシンボル（シンボル番号９および１０を有する）内で（ｋ＝１２・ｍ）番目毎（ｍ＝０，１，２，．．．，
【数３５】
0005855016.tif 000042
−１）のサブキャリアにマッピングされる。ここで、
【数３６】
0005855016.tif 000043
は、ダウンリンク帯域幅をＲＢ単位で表すことによって得られる値である。ここで、セル群に応じた計１２の０〜１１のオフセットまたは周波数シフトは、
【数３７】
0005855016.tif 000044
によって表し得る。このとき、セルに応じて
【数３８】
0005855016.tif 000045
の値が異なっていてもよい。例えば、
【数３９】
0005855016.tif 000046
は、セルＩＤである物理セルアイデンティティ（ＰＣＩ）に従って
【数４０】
0005855016.tif 000047
によって表し得る。
【０１８３】
上記スキームのＰＣＩに従って１２のオフセットまたは周波数シフトも他のアンテナポートの各々に適用される場合、アンテナポートの各々に割り当てられたＣＳＩ−ＲＳ間の距離は３サブキャリアほど長くてもよい。そのため、計３のセル群（セル群Ａ：
【数４１】
0005855016.tif 000048
、セル群Ｂ：
【数４２】
0005855016.tif 000049
、およびセル群Ｃ：
【数４３】
0005855016.tif 000050
）はそれぞれ、時間−周波数リソースに対して完全に区別されるＣＳＩ−ＲＳ割り当てパターンを有する。
【０１８４】
すなわち、アンテナポートセット（１，２）を例に取ると、ＣＳＩ−ＲＳ割り当てパターンは、アンテナポートセット（１，２）がセル群Ａでは第１のサブフレームの（１，ｋ）＝（９および１０，０）（図１６の左側および
【数４４】
0005855016.tif 000051
に示す）と第２のサブフレームの（１，ｋ）＝（９および１０，６）（図１６の右側および
【数４５】
0005855016.tif 000052
に示す）に割り当てられるが、前記アンテナポートセット（１，２）は、セル群Ｂ（図示せず）では第１のサブフレームの（１，ｋ）＝（９および１０，１）（
【数４６】
0005855016.tif 000053
）と第２のサブフレームの（１，ｋ）＝（９および１０，７）（
【数４７】
0005855016.tif 000054
）とに割り当てられ、また、前記アンテナポートセット（１，２）は、セル群Ｃ（図示せず）では第１のサブフレームの（１，ｋ）＝（９および１０，２）（
【数４８】
0005855016.tif 000055
）と第２のサブフレームの（１，ｋ）＝（９および１０，８）（
【数４９】
0005855016.tif 000056
）とに割り当てられるスキームを表す。
【０１８５】
また、第１および第２のサブフレームの位置は、セル群毎に異なっていてもよい。
【０１８６】
換言すると、本発明の局面によると、セル群に応じたオフセットまたは周波数シフトは、単一のサブフレームで各アンテナポートについて、周波数軸方向におけるＣＳＩ−ＲＳ割り当ての位置に適用される。それによりＣＳＩ−ＲＳ割り当てパターンは、互いに隣接するセル間で異なるものと規定される。しかしさらに、ＣＳＩ−ＲＳが割り当てられたサブフレームを、各隣接セルで異ならせてもよい。
【０１８７】
例えば、１０サブフレームのうちＣＳＩ−ＲＳが割り当てられた２番目および７番目のサブフレームが特定のセル群によって送信された場合、３番目および８番目のサブフレームは別のセル群によって送信される。このように第１および第２のサブフレームの相対位置を各セル群で異ならせることにより、互いに隣接するセル間の干渉をさらに低減し得る。しかし本発明の局面はこれに限られない。
【０１８８】
また、ＣｏＭＰなどの通信システムは、図１６の例示的実施形態において、図１０から図１２を参照して述べたものと同様にブランキングまたはミューティングを行うことを可能にする。
【０１８９】
繰り返しを避けるため、以下に短く述べる。ＣｏＭＰなどの協働的マルチアンテナ送受信システムでは、ＵＥがサービングセル以外のセルのＣＳＩ−ＲＳを受信してもよい。このような協働的マルチアンテナ送受信システムでは、ＵＥは、計３のセル群のうちＵＥとサービングセルとが属するセル群以外のセル群によってＣＳＩ−ＲＳが送信されるＲＥに対して、データを送信することなくブランクにしておくブランキングまたはデータをゼロ出力で送信するミューティングを行ってもよい。
【０１９０】
図１７は、例示的実施形態による、（ＦＤＭ＋ＣＤＭ）でＣＳＩ−ＲＳ割り当てを行うスキームを示す図である。
【０１９１】
図１７に示す例示的実施形態では、最大８のアンテナポートの各々のＣＳＩ−ＲＳが時間−周波数ドメインに割り当てられると、２アンテナポートの各々のＣＳＩ−ＲＳは、第１のサブフレームまたはリソースブロックの第１のシンボル（またはシンボル軸）内の２つのＲＥまたはサブキャリアに割り当てられる。その後、第１のシンボル（またはシンボル軸）に割り当てられた２アンテナポートに応じたＣＳＩ−ＲＳの各々が、同様に、同じサブフレームの第２のシンボル（またはシンボル軸）内の２つのＲＥに割り当てられる。その結果、計８のＣＳＩ−ＲＳ割り当てＲＥが第１のサブフレームまたはＲＢに配置される。さらに、すでに割り当てられた２のアンテナポートを除く残りの６アンテナポートのうち２アンテナポートに応じたＣＳＩ−ＲＳは、第１のサブフレームまたはＲＢにおいて、ＯＣＣによって、すでに割り当てられた２アンテナポートに応じたＣＳＩ−ＲＳと区別される。その後、２アンテナポートに応じた、上記区別されたＣＳＩ−ＲＳの各々は、第１のサブフレームまたはＲＢの８つのＣＳＩ−ＲＳ割り当てＲＥのうち４つのＣＳＩ−ＲＳ割り当てＲＥに二重に割り当てることができる。第１のサブフレームに割り当てられていない残りの４つのアンテナポートの各々のＣＳＩ−ＲＳは、第１のサブフレームに適用された割り当てスキームで第２のサブフレームに割り当てることができる。
【０１９２】
すなわち、２アンテナポートの各々のＣＳＩ−ＲＳは、単一のＲＥの第１のシンボル内で周波数軸に沿った１２サブキャリアのうち４サブキャリアに対応する４ＲＥのうち２つのＲＥに割り当てられる。このとき、２アンテナポートに応じて割り当てられたＣＳＩ−ＲＳ間の距離は、３サブキャリアと同じぐらいに長くてもよい。上記と同じスキームにおいて、２つの等しいアンテナポートの各々のＣＳＩ−ＲＳは、同じＲＢの第２のシンボル（またはシンボル軸）内の２ＲＥのうちの１つに割り当てられる。この場合、計２のアンテナポートの各々のＣＳＩ−ＲＳは、単一のサブフレームの２シンボルに割り当てられる。すでに割り当てられた２アンテナポートの除く２アンテナポートに応じたＣＳＩ−ＲＳは、直交性を有するＯＣＣなどの異なる符号によって、同じサブフレーム内で、すでに割り当てられた２アンテナポートに応じたＣＳＩ−ＲＳと区別される。例えば、ＣＳＩ−ＲＳアンテナポート１および２は、同じサブフレームの同じＲＥにマッピングされ、ＣＳＩ−ＲＳアンテナポート１および２に応じたＣＳＩ−ＲＳが割り当てられた上記同じＲＥが送信される。ＣＳＩ−ＲＳアンテナポート１および２に応じたＣＳＩ−ＲＳが同じＲＥに割り当てられた場合、これらはＯＣＣによって区別される。上記のスキームは、アンテナポート３と４にも同様に適用される。また、残りの４アンテナポート（例えば、ＣＳＩ−ＲＳアンテナポート５、６、７および８）の各々のＣＳＩ−ＲＳは、上記のスキームにおいて、別のサブフレームの２シンボルに割り当てられる。そのため、ＣＳＩ−ＲＳは、計１０のサブフレームのうち２サブフレームに割り当てられる。
【０１９３】
図１７を参照して、上記の割り当てスキームを以下に詳細に述べる。ＯＣＣによって区別されたアンテナポート１および２に応じたＣＳＩ−ＲＳは、第１のサブフレームにおいて（１，ｋ）＝（９および１０，０）に位置する２ＲＥに二重に割り当てられる。ＯＣＣによって区別されたアンテナポート３および４に応じたＣＳＩ−ＲＳは、周波数軸方向において位置（１，ｋ）＝（９および１０，０）から３ＲＥ離れた（１，ｋ）＝（９および１０，３）に位置する２ＲＥに二重に割り当てられる。ＯＣＣによって区別されたアンテナポート１および２に応じたＣＳＩ−ＲＳは、周波数軸方向において位置（１，ｋ）＝（９および１０，３）から３ＲＥ離れた（１，ｋ）＝（９および１０，６）に位置する２ＲＥに二重に割り当てられる。
【０１９４】
その結果、計４のＲＥが、第１のサブフレームで、それぞれがアンテナポート１〜４のうち２アンテナポートを含む２つのアンテナポートセットの各々のＣＳＩ−ＲＳに割り当てられる。そのため、上記割り当てスキームは、ＣＳＩ−ＲＳ割り当てオーバーヘッドの要件を満たして、各アンテナポートのＣＳＩ−ＲＳがラジオフレームの２つのＲＥに割り当てられ得る。
【０１９５】
さらに、残りの４アンテナポート５〜８の各々のＣＳＩ−ＲＳは、第１のサブフレームに適用された割り当てスキームにおいて、別の第２のサブフレームに割り当てられてもよい。
【０１９６】
このとき、同じＲＥに二重に割り当てられた（すなわち、アンテナポートのグループ分け）ＣＳＩ−ＲＳに対応するアンテナポート番号、周波数軸方向におけるアンテナポート番号の順番などが変わってもよい。しかしこの点について、しかし本発明の局面は図１７に示す例に限られない。
【０１９７】
上記の本発明の局面によるＣＳＩ−ＲＳマッピングまたは割り当てスキームは、以下の式（４）によって規定することができる。しかし式（４）は、理解のために代表的な例を示しており、上記の基本的スキームを保持する限り別の様式で表してもよい。
ＣＳＩ−ＲＳアンテナポート＝１，３，５，７：ＯＣＣ[＋１，＋１]
ＣＳＩ−ＲＳアンテナポート＝２，４，６，８：ＯＣＣ[＋１，−１]
サブフレームＡ：ＣＳＩ−ＲＳアンテナポート＝１，２，３，４を介した送信
サブフレームＢ：ＣＳＩ−ＲＳアンテナポート＝５，６，７，８を介した送信
【０１９８】
【数５０】
0005855016.tif 000057
0005855016.tif 000058
【０１９９】
ここで、ｋはＣＳＩ−ＲＳが割り当てられたＲＥのサブキャリア番号を表す。ＣＳＩ−ＲＳが割り当てられたＲＥのｌは、シンボル（またはシンボル軸）番号０〜１３を表す。
【０２００】
また、式（４）は、ＣＳＩ−ＲＳが割り当てられたＲＥのｌが、シンボル（またはシンボル軸）番号として９または１０を有することを規定する。しかし本発明の局面はこれに限られない。通常ＣＰが用いられる場合、計１４のシンボルまたはシンボル軸のうち、互いに隣接する、またはしない任意の２シンボル（またはシンボル軸）が用いられてもよい。拡張ＣＰが用いられる場合、シンボルまたはシンボル軸の数は１２または６であってもよい。
【０２０１】
さらに上記のように、同じＲＥに二重に割り当てられたＣＳＩ−ＲＳに対応するアンテナポート番号、周波数軸方向におけるアンテナポート番号の順番などが変わってもよい。本発明の局面は、図１７に示す例に限られない。すなわち図１７および式（４）では、第１のサブフレームでＣＳＩ−ＲＳ割り当てＲＥに割り当てられたアンテナポートは、下位サブキャリアから順に（１、２）、（３，４）、（１、２）および（３，４）と示されている。しかし本発明の局面はこれに限られない。また、図１３から図１５では、アンテナポート１〜４は第１のサブフレームに割り当てられ、アンテナポート５〜８は第２のサブフレームに割り当てられている。しかし本発明の局面はこれに限られない。
【０２０２】
ここで、直交カバーコード（ＯＣＣ）は、符号が相互直交性を有する２桁ウォルシュコードシステムなどの任意のコードシステムであってもよい。すなわち、図１７では、各ＲＥ内で前方に示すアンテナポートのＣＳＩ−ＲＳは、例えば[１，１]などのＯＣＣ１によって区別され、各ＲＥ内で後方に示すアンテナポートのＣＳＩ−ＲＳは、例えば、ＯＣＣ１に対して直交する[１，−１]などのＯＣＣ２によって区別される。
【０２０３】
図１７に示すように、４ＲＥに二重に割り当てられた２アンテナポートは互いに隣接するアンテナポートであってもよい。すなわち、図１７では、（ｌ，ｋ）＝（９および１０，０）に二重に割り当てられた２アンテナポートは、互いに隣接するアンテナポート１および２である。
【０２０４】
第１および第２のサブフレームは、その位置を決定する場合は任意であってもよいが、単一のラジオフレーム内ではその間に適切な距離を有してもよい。例えば、ラジオフレームに含まれるサブフレーム番号が０〜９に規定され、第１のサブフレームがサブフレーム番号１に位置する場合、第２のサブフレームはサブフレーム番号のうちサブフレーム番号６に配置される。しかし本発明の局面はこれに限られず、第１および第２のサブフレームは隣接していてもよいし、別の位置に配置されてもよい。
【０２０５】
すなわちＣＳＩ−ＲＳは、ＣＳＩ−ＲＳ割り当てオーバーヘッドを考慮して、計１０のサブフレームのうち２サブフレームに割り当てられる。これら２サブフレームは、連続していてもよいし、特定の期間を有していてもよい。すなわち、類似の構造を有するこれら２サブフレームは、図１７に示すスキームで送信される。そのため、２サブフレームは、計１０ｍｓを２で割った５ｍｓ間隔で送信されてもよい。
【０２０６】
セル（またはセル群）間で交互にＣＳＩ−ＲＳを割り当てるスキームは、図１０から図１２に示すものと同様に、図１７の例示的実施形態にも採用することができる。
【０２０７】
すなわち、式（４）によると、各アンテナポートにＣＳＩ−ＲＳを割り当てるスキームは、図１７に示すものと同様であってもよい。各アンテナポートのＣＳＩ−ＲＳは、セル（またはセル群）に応じたオフセットまたは周波数シフトを有するスキームで割り当てられてもよい。但しこのようなスキームは図１７に示していない。
【０２０８】
換言すると、少なくとも１つのリソースブロックが含まれる場合、各アンテナポートは６番目毎のサブキャリアにＣＳＩ−ＲＳを割り当て、周波数軸全体を考慮して、ＣＳＩ−ＲＳが割り当てられた６番目毎のサブキャリアを送信する。図１７に示すように、ＣＳＩ−ＲＳアンテナポート１は例えば、特定のサブフレームの１０番目および１１番目のシンボル（シンボル番号ｌ＝９および１０を有する）内で（ｋ＝６・ｍ）番目毎
【数５１】
0005855016.tif 000059
のサブキャリアにマッピングされる。ここで、セル群に応じた計６の０〜５のオフセットまたは周波数シフトは、
【数５２】
0005855016.tif 000060
によって表し得る。
【０２０９】
このとき、
【数５３】
0005855016.tif 000061
の値はセル（セル群）に応じて異なる。例えば、
【数５４】
0005855016.tif 000062
は、セルＩＤである物理セルアイデンティティ（ＰＣＩ）に従って
【数５５】
0005855016.tif 000063
によって表し得る。
【０２１０】
上記スキームのＰＣＩに従って６のオフセットまたは周波数シフトも他のアンテナポートの各々に適用される場合、アンテナポートの各々に割り当てられたＣＳＩ−ＲＳ間の距離は３サブキャリアほど長くてもよい。そのため、計３のセル群（セル群Ａ：
【数５６】
0005855016.tif 000064
、セル群Ｂ：
【数５７】
0005855016.tif 000065
、およびセル群Ｃ：
【数５８】
0005855016.tif 000066
）はそれぞれ、時間−周波数リソースに対して完全に区別されるＣＳＩ−ＲＳ割り当てパターンを有する。
【０２１１】
すなわち、アンテナポートセット（１，２）を例に取ると、ＣＳＩ−ＲＳ割り当てパターンは、アンテナポートセット（１，２）がセル群Ａでは第１のサブフレームの（１，ｋ）＝（９および１０，０および６）（図１７の左側および
【数５９】
0005855016.tif 000067
に示す）に割り当てられるが、セル群Ｂ（図示せず）では第１のサブフレームの（１，ｋ）＝（９および１０，１および７）（
【数６０】
0005855016.tif 000068
）に割り当てられ、セル群Ｃ（図示せず）では第１のサブフレームの（１，ｋ）＝（９および１０，２および８）（
【数６１】
0005855016.tif 000069
）に割り当てられるスキームを表す。
【０２１２】
また、第１および第２のサブフレームの位置は、セル群毎に異なっていてもよい。
【０２１３】
換言すると、上記の実施形態において、セル群に応じたオフセットまたは周波数シフトは、単一のサブフレームで各アンテナポートについて、周波数軸方向におけるＣＳＩ−ＲＳ割り当ての位置に適用されてもよい。それによりＣＳＩ−ＲＳ割り当てパターンは、互いに隣接するセル間で異なるものと規定されてもよい。しかしさらに、ＣＳＩ−ＲＳが割り当てられたサブフレームを、各隣接セルで異ならせてもよい。
【０２１４】
例えば、１０サブフレームのうちＣＳＩ−ＲＳが割り当てられた２番目および７番目のサブフレームが特定のセル群によって送信された場合、３番目および８番目のサブフレームは別のセル群によって送信される。このように第１および第２のサブフレームの相対位置を各セル群で異ならせることにより、互いに隣接するセル間の干渉をさらに低減し得る。しかし本発明の局面はこれに限られない。
【０２１５】
また、ＣｏＭＰなどの通信システムは、図１７の例示的実施形態において、図１０から図１２を参照して述べたものと同様にブランキングまたはミューティングを行うことを可能にする。
【０２１６】
繰り返しを避けるため、以下に短く述べる。ＣｏＭＰなどの協働的マルチアンテナ送受信システムでは、ＵＥがサービングセル以外のセルのＣＳＩ−ＲＳを受信してもよい。このような協働的マルチアンテナ送受信システムでは、ＵＥは、計３のセル群のうちＵＥとサービングセルとが属するセル群以外のセル群によってＣＳＩ−ＲＳが送信されるＲＥに対して、データを送信することなくブランクにしておくブランキングまたはデータをゼロ出力で送信するミューティングを行ってもよい。
【０２１７】
図１８は、受信器であって、例示的実施形態によるＣＳＩ−ＲＳ割り当ておよび送信用スキームによって送信されるＣＳＩ−ＲＳを受信する受信器の構成を示すブロック図である。図１８に示すように、無線通信システムでは、ＵＥの受信装置１８００は、受信処理ユニット１８１０と、リソースエレメントデマッパ１８２０と、ＣＳＩ−ＲＳ抽出ユニット１８４０と、チャネル状態測定ユニット１８３０とを含み、さらにデコードユニット（図示せず）、制御ユニットなど（図示せず）を含んでもよい。この場合、受信装置１８００は、図１に示すＵＥ１０であってもよい。
【０２１８】
受信処理ユニット１８１０は、受信装置１８００の各アンテナポートを介して信号を受信する。リソースエレメントデマッパ１８２０は、受信した信号から、各リソースエレメント（ＲＥ）に割り当てられた情報をデマッピングする。デマッピングされた情報は、制御情報、ならびにマルチアンテナポートに応じた様々な種類の、データ情報以外のＣＳＩ−ＲＳおよび基準信号を含み得る。
【０２１９】
ＣＳＩ−ＲＳ抽出ユニット１８４０は、リソースエレメントデマッパ１８２０に含まれていてもよいし、リソースエレメントデマッパ１８２０と接続された状態で動作してもよい。各ＲＥに割り当てられた情報をデマッピングする際に、リソースエレメントデマッパ１８２０は、ＣＳＩ−ＲＳに関連する情報をデマッピングして抽出する。ＣＳＩ−ＲＳ抽出ユニット１８４０は、図８から図１７に示すスキームの１つで、ＣＳＩ−ＲＳ割り当てスキームとは逆の順で各アンテナポートのＣＳＩ−ＲＳ情報を抽出する。チャネル状態測定ユニット１８３０は、抽出したＣＳＩ−ＲＳ情報に基づいて、抽出したＣＳＩ−ＲＳ情報がチャネルを通過する間にどのように変化するかを測定し、複数のアンテナを含むマルチアンテナシステムの各アンテナポートのチャネル状態情報に対応するチャネル状態情報（ＣＳＩ）を得る。
【０２２０】
換言すると、ＣＳＩ−ＲＳ抽出ユニットはさらに以下を含む。ＣＳＩ−ＲＳの送信用の最大Ｎ個のアンテナポート（Ｎは１以上の整数）において、ＣＳＩ−ＲＳシーケンスは、ＣＳＩ−ＲＳが送信されるサブフレーム内の２つの直交周波数分割多重送信（ＯＦＤＭ）シンボルに対して、各アンテナポートの１２番目毎のサブキャリアに対応するＲＥにマッピングされる。それぞれがＭ番目毎（Ｍ≦Ｎ、Ｍは奇数）のアンテナポートと（Ｍ＋１）番目毎のアンテナポートとの両方を含むか、あるいは（Ｍ＋１）番目毎のアンテナポートが存在しない場合は、Ｍ番目毎のアンテナポートのみを含み、且つＣＳＩ−ＲＳ送信用のアンテナポートセットとして用いられる[Ｎ／２]のアンテナポートセットにおいて、各アンテナポートセット内のアンテナポートのＣＳＩ−ＲＳは、同じ時間−周波数リソースを有するＲＥに割り当てられ、直交コードによって互いに区別される。リソースブロック内の互いに隣接する２アンテナポートセットに割り当てられたＣＳＩ−ＲＳは、周波数軸に沿って互いに３ＲＥ分の間隔をあけている。
【０２２１】
図８を参照して上記したように、受信装置１８００は、無線通信システムまたは送信装置８００と対をなすか、または接続されており、送信装置８００によって送信された信号を受信する。そのため受信装置８００は、送信装置８００とは逆の順で信号処理を行う構成要素を含む。そのため受信装置８００は、送信装置８００とは逆の順で信号処理を行うための要素を含んでもよい。
【０２２２】
図１９は、例示的実施形態によるＣＳＩ−ＲＳ送信方法のフローを示すフローチャートである。本発明の局面によるＣＳＩ−ＲＳ送信方法は以下を含む。Ｓ１９１０の動作で、各アンテナポートのＣＳＩ−ＲＳ又はシーケンスを生成する。Ｓ１９２０の動作で、各アンテナポートのＣＳＩ−ＲＳを、単一のサブフレーム内の単一のシンボル（またはシンボル軸）単位で、４ＲＥまたはサブキャリアに割り当てる。各アンテナポートのＣＳＩ−ＲＳの割り当ては、互いに隣接するＣＳＩ−ＲＳ割り当てＲＥまたはサブキャリア間の距離が３ＲＥまたはサブキャリアほど長くなるように行う。Ｓ１９３０の動作で、時間−周波数リソースドメインに割り当てられたＣＳＩ−ＲＳを受信装置に送信する。
【０２２３】
Ｓ１９２０の動作では、特定のアンテナポートのＣＳＩ−ＲＳを、セル（またはセル群）に応じて周波数軸方向に周波数シフトを有するように割り当てることができる。さらにＳ１９２０の動作では、ＣＳＩ−ＲＳは単一のサブフレームまたはＲＢの２シンボル（またはシンボル軸）に割り当てられる。このとき、計８のアンテナポートの各々のＣＳＩ−ＲＳは、第１のサブフレームまたはＲＢの単一のＲＥにひとつずつ割り当てられる。すでに割り当てられたアンテナポートを除くアンテナポートに応じたＣＳＩ−ＲＳは、直交カバーコード（ＯＣＣ）を用いることにより、すでに割り当てられたアンテナポートに応じたＣＳＩ−ＲＳと区別される。アンテナポートに応じた上記区別されたＣＳＩ−ＲＳの各々は、第１のサブフレームまたはＲＢの２ＲＥに二重に割り当てられる。上記のスキームは第１のサブフレームまたはＲＢに適用されているが、計８のアンテナポートの各々のＣＳＩ−ＲＳが割り当てられる別の、または第２のサブフレームまたはＲＢにも同様に適用される。
【０２２４】
また、Ｓ１９２０の動作では、ＣＳＩ−ＲＳは、単一のサブフレームまたはＲＢの２シンボル（またはシステム軸）に割り当てられる。このとき、計４のアンテナポートの各々のＣＳＩ−ＲＳは、第１のサブフレームまたはＲＢの２ＲＥにひとつずつ割り当てられる。すでに割り当てられたアンテナポートを除く２アンテナポートに応じたＣＳＩ−ＲＳは、直交カバーコード（ＯＣＣ）を用いることにより、すでに割り当てられたアンテナポートに応じたＣＳＩ−ＲＳと区別される。アンテナポートに応じた上記区別されたＣＳＩ−ＲＳの各々は、第１のサブフレームまたはＲＢの４ＲＥに二重に割り当てられる。上記のスキームは第１のサブフレームまたはＲＢに適用されているが、第１のサブフレームまたはＲＢに割り当てられた４アンテナポートを除く残りの４アンテナポートの各々のＣＳＩ−ＲＳが割り当てられる別の、または第２のサブフレーム或いはＲＢにも同様に適用される。
【０２２５】
上記の例示的実施形態以外の例示的実施形態によるＣＳＩ−ＲＳ割り当て方法およびＣＳＩ−ＲＳ送信方法は、図８から図１７に示すスキームの１つまたはすべてを用い得る。重複する記載を避けるため、詳細な記載は省略する。
【０２２６】
本発明の局面によると、ＣＳＩ−ＲＳは、これに続くＣＳＩ−ＲＳ送信オーバーヘッドの範囲のセル（またはセル群）に応じて完全な直交性（ＣｏＭＰの場合）または擬似直交性（非ＣｏＭＰの場合）を有するように時間−周波数ドメインに割り当てられる。その結果、互いに隣接するセル間の干渉による性能劣化は低減することができる。
【０２２７】
本発明のおいてその精神および範囲から逸脱することなく様々な改変および変更が行い得ることは当業者には明らかである。従って本発明は、添付の請求の範囲に含まれる範囲内の改変および変更ならびにその均等物を含むと理解される。
【０２２８】
本出願は、２０１０年１月１８日出願の韓国特許出願第１０−２０２０−０００４２１９号に基づく優先権を主張する。上記韓国特許出願の全体を参考のためここに援用する。
【図１】
0005855016.tif 000070
【図８】
0005855016.tif 000071
【図９】
0005855016.tif 000072
【図１８】
0005855016.tif 000073
【図１９】
0005855016.tif 000074
【図２】
0005855016.tif 000075
【図３】
0005855016.tif 000076
【図４】
0005855016.tif 000077
【図５】
0005855016.tif 000078
【図６】
0005855016.tif 000079
【図７】
0005855016.tif 000080
【図１０】
0005855016.tif 000081
【図１１】
0005855016.tif 000082
【図１２】
0005855016.tif 000083
【図１３】
0005855016.tif 000084
【図１４】
0005855016.tif 000085
【図１５】
0005855016.tif 000086
【図１６】
0005855016.tif 000087
【図１７】
0005855016.tif 000088